(57)【要約】      （修正有）【課題】信頼性を高める方式で制御情報を送信する。【解決手段】独立して設定および操作されうる複数の制御チャネルで、制御情報を送信する。１つの設計では、基地局は、第１の制御チャネル（例えば、物理ダウンリンク制御チャネル（ＰＤＣＣＨ））と第２の制御チャネル（例えば、中継ＰＤＣＣＨ（Ｒ−ＰＤＣＣＨ））との両方で制御情報を受信するように少なくとも１つのＵＥを指示するためのシグナリングを送信する。基地局は、少なくとも１つのＵＥのための制御情報を、例えば、サブフレームの異なる時間領域および／または周波数領域で、第１および第２の制御チャネルで送信する。別の態様では、制御情報は、信頼性を高めるために、バンドリングを用いて、複数のサブフレームで、制御チャネルで送信する。ユーザ機器（ＵＥ）は、複数のチャネルで、または、バンドリングを用いて、基地局によって送信された制御情報を復元するための補足処理を実行する。【選択図】図３Ａ
2014123968.tif 000002
【特許請求の範囲】
【請求項１】
無線通信のための方法であって、
第１の制御チャネルで、少なくとも１つのユーザ機器（ＵＥ）のための制御情報を送信することと、
前記制御情報の信頼性を高めるために、第２の制御チャネルで、前記少なくとも１つのＵＥのための制御情報を送信することと、
を備える方法。
【請求項２】
サブフレームの第１の領域で、前記第１の制御チャネルを送信することと、
前記第１の領域とは異なる、前記サブフレームの第２の領域で、前記第２の制御チャネルを送信することと、
をさらに備える請求項１に記載の方法。
【請求項３】
前記制御情報を処理して、符号化されたデータを取得することをさらに備え、
前記符号化されたデータは、前記第１の制御チャネルで送信され、前記第２の制御チャネルでも送信される、請求項１に記載の方法。
【請求項４】
前記制御情報を処理して、符号化されたデータを取得することと、
前記符号化されたデータを、第１の部分および第２の部分へ分割することと、
をさらに備え、
前記第１の部分は、前記第１の制御チャネルで送信され、前記第２の部分は、前記第２の制御チャネルで送信される、請求項１に記載の方法。
【請求項５】
前記少なくとも１つのＵＥに対して、前記第１の制御チャネルと前記第２の制御チャネルとの両方で制御情報を受信するように指示するシグナリングを送信すること、をさらに備える請求項１に記載の方法。
【請求項６】
前記制御情報を、前記第１の制御チャネルのみで送信するか、前記第２の制御チャネルのみで送信するか、前記第１の制御チャネルと前記第２の制御チャネルとの両方で送信するかを、前記少なくとも１つのＵＥの設定に基づいて判定すること、をさらに備える請求項１に記載の方法。
【請求項７】
少なくとも１つの他のＵＥのための第２の制御情報を、前記第１の制御チャネルのみで送信するか、または、前記第２の制御チャネルのみで送信すること、をさらに備える請求項１に記載の方法。
【請求項８】
前記第１の制御チャネルは、物理ダウンリンク制御チャネル（ＰＤＣＣＨ）を備え、
前記第２の制御チャネルは、中継ＰＤＣＣＨ（Ｒ−ＰＤＣＣＨ）を備える、請求項１に記載の方法。
【請求項９】
前記第１の制御チャネルと前記第２の制御チャネルとは、独立して構成および操作される、請求項１に記載の方法。
【請求項１０】
前記第１の制御チャネルと前記第２の制御チャネルとは、異なるサイズを有する、請求項１に記載の方法。
【請求項１１】
少なくとも１つのダウンリンク許可、または少なくとも１つのアップリンク許可、またはダウンリンク許可とアップリンク許可との両方を備える、前記少なくとも１つのＵＥのための制御情報を生成すること、をさらに備える請求項１に記載の方法。
【請求項１２】
無線通信のための装置であって、
第１の制御チャネルで、少なくとも１つのユーザ機器（ＵＥ）のための制御情報を送信する手段と、
前記制御情報の信頼性を高めるために、第２の制御チャネルで、前記少なくとも１つのＵＥのための制御情報を送信する手段と、
を備える装置。
【請求項１３】
サブフレームの第１の領域で、前記第１の制御チャネルを送信する手段と、
前記第１の領域とは異なる、前記サブフレームの第２の領域で、前記第２の制御チャネルを送信する手段と、
をさらに備える請求項１２に記載の装置。
【請求項１４】
前記少なくとも１つのＵＥに対して、前記第１の制御チャネルと前記第２の制御チャネルとの両方で制御情報を受信するように指示するシグナリングを送信する手段、をさらに備える請求項１２に記載の装置。
【請求項１５】
前記制御情報を、前記第１の制御チャネルのみで送信するか、前記第２の制御チャネルのみで送信するか、前記第１の制御チャネルと前記第２の制御チャネルとの両方で送信するかを、前記少なくとも１つのＵＥの設定に基づいて判定する手段、をさらに備える請求項１２に記載の装置。
【請求項１６】
無線通信のための装置であって、
第１の制御チャネルで、少なくとも１つのユーザ機器（ＵＥ）のための制御情報を送信し、
前記制御情報の信頼性を高めるために、第２の制御チャネルで、前記少なくとも１つのＵＥのための制御情報を送信する、
ように構成された少なくとも１つのプロセッサ、
を備える装置。
【請求項１７】
前記少なくとも１つのプロセッサは、サブフレームの第１の領域で、前記第１の制御チャネルを送信し、前記第１の領域とは異なる、前記サブフレームの第２の領域で、前記第２の制御チャネルを送信するように構成された、請求項１６に記載の装置。
【請求項１８】
前記少なくとも１つのプロセッサは、前記少なくとも１つのＵＥに対して、前記第１の制御チャネルと前記第２の制御チャネルとの両方で制御情報を受信するように指示するシグナリングを送信するように構成された、請求項１６に記載の装置。
【請求項１９】
前記少なくとも１つのプロセッサは、前記制御情報を、前記第１の制御チャネルのみで送信するか、前記第２の制御チャネルのみで送信するか、前記第１の制御チャネルと前記第２の制御チャネルとの両方で送信するかを、前記少なくとも１つのＵＥの設定に基づいて判定するように構成された、請求項１６に記載の装置。
【請求項２０】
コンピュータ・プログラム製品であって、
少なくとも１つのコンピュータに対して、第１の制御チャネルで、少なくとも１つのユーザ機器（ＵＥ）のための制御情報を送信させるためのコードと、
前記制御情報の信頼性を高めるために、前記少なくとも１つのコンピュータに対して、第２の制御チャネルで、前記少なくとも１つのＵＥのための制御情報を送信させるためのコードと、
を備えるコンピュータ読取可能な媒体、
を備えるコンピュータ・プログラム製品。
【請求項２１】
無線通信のための方法であって、
ユーザ機器（ＵＥ）において第１の制御チャネルに関して受信された第１のシンボルを取得することと、
前記ＵＥにおいて第２の制御チャネルに関して受信された第２のシンボルを取得することと、
前記制御情報の信頼性を高めるために、受信された前記第１のシンボルおよび前記第２のシンボルを復号して、前記第１の制御チャネルおよび前記第２の制御チャネルで送信された制御情報を取得することと、
を備える方法。
【請求項２２】
サブフレームの第１の領域で、前記第１の制御チャネルを受信することと、
前記第１の領域とは異なる、前記サブフレームの第２の領域で、前記第２の制御チャネルを受信することと、
をさらに備える請求項２１に記載の方法。
【請求項２３】
受信された前記第１のシンボルおよび前記第２のシンボルを復号することは、
受信された前記第１のシンボルと前記第２のシンボルとを結合して、結合シンボルを取得することと、
前記結合シンボルに基づいて、復号メトリックを計算することと、
前記復号メトリックを復号して、前記制御情報を復元することと、
を備える、請求項２１に記載の方法。
【請求項２４】
受信された前記第１のシンボルおよび前記第２のシンボルを復号することは、
受信された前記第１のシンボルに基づいて、第１の復号メトリックを計算することと、
受信された前記第２のシンボルに基づいて、第２の復号メトリックを計算することと、
前記第１の復号メトリックおよび前記第２の復号メトリックを復号して、前記制御情報を復元することと、
を備える、請求項２１に記載の方法。
【請求項２５】
前記第１の制御チャネルと前記第２の制御チャネルとの複数の可能な組み合わせに対してブラインド復号を実行することをさらに備え、
おのおのの可能な組み合わせは、前記第１の制御チャネルの特定の位置と、前記第２の制御チャネルの特定の位置とに対応する、請求項２１に記載の方法。
【請求項２６】
前記複数の可能な組み合わせは、前記第１の制御チャネルと前記第２の制御チャネルとの（Ｋ×Ｍ）個のすべての可能な組み合わせを含み、ここで、Ｋは、前記第１の制御チャネルの可能な位置の数であり、Ｍは、前記第２の制御チャネルの可能な位置の数である、請求項２５に記載の方法。
【請求項２７】
前記複数の可能な組み合わせは、前記第１の制御チャネルと前記第２の制御チャネルとのすべての可能な組み合わせのサブセットを含み、
前記サブセットは、前記第１の制御チャネルと前記第２の制御チャネルとの間の予め定められたマッピングに基づいて決定される、請求項２５に記載の方法。
【請求項２８】
前記ＵＥに対して前記第１の制御チャネルと前記第２の制御チャネルとの両方で制御情報を受信するように指示するシグナリングを受信することをさらに備え、
前記第１の制御チャネルに関して受信された第１のシンボルと、前記第２の制御チャネルに関して受信された第２のシンボルとが、前記シグナリングに応じて取得され復号される、請求項２１に記載の方法。
【請求項２９】
前記ＵＥに対して、前記第１の制御チャネルのみで、または、前記第２の制御チャネルのみで、制御情報を受信するように指示するシグナリングを受信することと、
前記シグナリングに応じて、前記第１の制御チャネルのみに関して、または、前記第２の制御チャネルのみに関して、受信されたシンボルを取得および復号することと、
をさらに備える請求項２１に記載の方法。
【請求項３０】
前記制御情報から前記ＵＥのための許可を取得することと、
前記許可に基づいて、データ伝送を送信または受信することと、
をさらに備える請求項２１に記載の方法。
【請求項３１】
無線通信のための装置であって、
ユーザ機器（ＵＥ）において第１の制御チャネルに関して受信された第１のシンボルを取得する手段と、
前記ＵＥにおいて第２の制御チャネルに関して受信された第２のシンボルを取得する手段と、
制御情報の信頼性を高めるために、受信された前記第１のシンボルおよび前記第２のシンボルを復号して、前記第１の制御チャネルおよび前記第２の制御チャネルで送信された制御情報を取得する手段と、
を備える装置。
【請求項３２】
サブフレームの第１の領域で、前記第１の制御チャネルを受信する手段と、
前記第１の領域とは異なる、前記サブフレームの第２の領域で、前記第２の制御チャネルを受信する手段と、
をさらに備える請求項３１に記載の装置。
【請求項３３】
前記第１の制御チャネルと前記第２の制御チャネルとの複数の可能な組み合わせに対してブラインド復号を実行する手段をさらに備え、
おのおのの可能な組み合わせは、前記第１の制御チャネルの特定の位置と、前記第２の制御チャネルの特定の位置とに対応する、請求項３１に記載の装置。
【請求項３４】
前記ＵＥに対して前記第１の制御チャネルと前記第２の制御チャネルとの両方で制御情報を受信するように指示するシグナリングを受信する手段をさらに備え、
前記第１の制御チャネルに関して受信された第１のシンボルと、前記第２の制御チャネルに関して受信された第２のシンボルとが、前記シグナリングに応じて取得され復号される、請求項３１に記載の装置。
【請求項３５】
無線通信のための装置であって、
ユーザ機器（ＵＥ）において第１の制御チャネルに関して受信された第１のシンボルを取得し、
前記ＵＥにおいて第２の制御チャネルに関して受信された第２のシンボルを取得し、
制御情報の信頼性を高めるために、受信された前記第１のシンボルおよび前記第２のシンボルを復号して、前記第１の制御チャネルおよび前記第２の制御チャネルで送信された制御情報を取得する、
ように構成された少なくとも１つのプロセッサ、
を備える装置。
【請求項３６】
前記少なくとも１つのプロセッサは、サブフレームの第１の領域で、前記第１の制御チャネルを受信し、前記第１の領域とは異なる、前記サブフレームの第２の領域で、前記第２の制御チャネルを受信するように構成された、請求項３５に記載の装置。
【請求項３７】
前記少なくとも１つのプロセッサは、前記第１の制御チャネルと前記第２の制御チャネルとの複数の可能な組み合わせに対してブラインド復号を実行するように構成され、
おのおのの可能な組み合わせは、前記第１の制御チャネルの特定の位置と、前記第２の制御チャネルの特定の位置とに対応する、請求項３５に記載の装置。
【請求項３８】
前記少なくとも１つのプロセッサは、前記ＵＥに対して前記第１の制御チャネルと前記第２の制御チャネルとの両方で制御情報を受信するように指示するシグナリングを受信するように構成され、
前記第１の制御チャネルに関して受信された第１のシンボルと、前記第２の制御チャネルに関して受信された第２のシンボルとが、前記シグナリングに応じて取得され復号される、請求項３５に記載の装置。
【請求項３９】
コンピュータ・プログラム製品であって、
少なくとも１つのコンピュータに対して、ユーザ機器（ＵＥ）において第１の制御チャネルに関して受信された第１のシンボルを取得させるためのコードと、
前記少なくとも１つのコンピュータに対して、前記ＵＥにおいて第２の制御チャネルに関して受信された第２のシンボルを取得させるためのコードと、
制御情報の信頼性を高めるために、前記少なくとも１つのコンピュータに対して、受信された前記第１のシンボルおよび前記第２のシンボルを復号して、前記第１の制御チャネルおよび前記第２の制御チャネルで送信された制御情報を取得させるためのコードと、
を備えるコンピュータ読取可能な媒体、
を備えるコンピュータ・プログラム製品。
【請求項４０】
無線通信のための方法であって、
第１のサブフレームにおいて、第１の制御チャネルで、少なくとも１つのユーザ機器（ＵＥ）のための制御情報を送信することと、
前記制御情報の信頼性を高めるために、少なくとも１つのさらなるサブフレームにおける制御チャネルで、前記少なくとも１つのＵＥのための制御情報を送信することと、
を備える方法。
【請求項４１】
前記制御情報を処理して、符号化されたデータを取得することと、
前記符号化されたデータを、前記第１のサブフレームにおける制御チャネル、および、前記少なくとも１つのさらなるサブフレームにおける制御チャネルで送信することと、
をさらに備える請求項４０に記載の方法。
【請求項４２】
前記制御情報を処理して、符号化されたデータを取得することと、
前記符号化されたデータを、複数の部分へ分割することと、
前記符号化されたデータの異なる部分を、おのおののサブフレームにおける制御チャネルで送信することと、
をさらに備える請求項４０に記載の方法。
【請求項４３】
前記少なくとも１つのＵＥに対して、複数のサブフレームにおける制御チャネルで制御情報を受信するように指示するシグナリングを送信すること、をさらに備える請求項４０に記載の方法。
【請求項４４】
前記少なくとも１つのＵＥのための、少なくとも１つのダウンリンク許可、または少なくとも１つのアップリンク許可、またはダウンリンク許可とアップリンク許可との両方、を備える制御情報を生成すること、をさらに備える請求項４０に記載の方法。
【請求項４５】
前記制御チャネルは、中継物理ダウンリンク制御チャネル（Ｒ−ＰＤＣＣＨ）を備える、請求項４０に記載の方法。
【請求項４６】
無線通信のための装置であって、
第１のサブフレームにおける制御チャネルで、少なくとも１つのユーザ機器（ＵＥ）のための制御情報を送信する手段と、
前記制御情報の信頼性を高めるために、少なくとも１つのさらなるサブフレームにおける制御チャネルで、前記少なくとも１つのＵＥのための制御情報を送信する手段と、
を備える装置。
【請求項４７】
無線通信のための装置であって、
第１のサブフレームにおける制御チャネルで、少なくとも１つのユーザ機器（ＵＥ）のための制御情報を送信し、
前記制御情報の信頼性を高めるために、少なくとも１つのさらなるサブフレームにおける制御チャネルで、前記少なくとも１つのＵＥのための制御情報を送信する、
ように構成された少なくとも１つのプロセッサ、
を備える装置。
【請求項４８】
コンピュータ・プログラム製品であって、
少なくとも１つのコンピュータに対して、第１のサブフレームにおける制御チャネルで、少なくとも１つのユーザ機器（ＵＥ）のための制御情報を送信させるためのコードと、
前記制御情報の信頼性を高めるために、前記少なくとも１つのコンピュータに対して、少なくとも１つのさらなるサブフレームにおける制御チャネルで、前記少なくとも１つのＵＥのための制御情報を送信させるためのコードと、
を備えるコンピュータ読取可能な媒体、
を備えるコンピュータ・プログラム製品。
【請求項４９】
無線通信のための方法であって、
ユーザ機器（ＵＥ）において、第１のサブフレームにおける制御チャネルに関して受信された第１のシンボルを取得することと、
前記ＵＥにおいて、少なくとも１つのさらなるサブフレームにおける制御チャネルに関して受信された第２のシンボルを取得することと、
受信された前記第１のシンボルと前記第２のシンボルとを復号して、前記ＵＥへ送信された制御情報を復号することと、
を備え、
前記制御情報の信頼性を高めるために、前記制御情報は、前記第１のサブフレームおよび前記少なくとも１つのさらなるサブフレームにおける制御チャネルで送信される、方法。
【請求項５０】
前記ＵＥに対して、複数のサブフレームにおける制御チャネルで制御情報を受信するように指示するシグナリングを受信することをさらに備え、
受信された前記第１のシンボルおよび前記第２のシンボルは、前記シグナリングに応じて、前記第１のサブフレームおよび前記少なくとも１つのさらなるサブフレームにおいて取得され、復号される、請求項４９に記載の方法。
【請求項５１】
前記制御情報から前記ＵＥのための許可を取得することと、
前記許可に基づいて、データ伝送を送信または受信することと、
をさらに備える請求項４９に記載の方法。
【請求項５２】
無線通信のための装置であって、
ユーザ機器（ＵＥ）において、第１のサブフレームにおける制御チャネルに関して受信された第１のシンボルを取得する手段と、
前記ＵＥにおいて、少なくとも１つのさらなるサブフレームにおける制御チャネルに関して受信された第２のシンボルを取得する手段と、
受信された前記第１のシンボルおよび前記第２のシンボルを復号して、前記ＵＥへ送信された制御情報を取得する手段と、
を備え、
前記制御情報の信頼性を高めるために、前記制御情報は、前記第１のサブフレームおよび前記少なくとも１つのさらなるサブフレームにおける制御チャネルで送信される、装置。
【請求項５３】
無線通信のための装置であって、
ユーザ機器（ＵＥ）において、第１のサブフレームにおける制御チャネルに関して受信された第１のシンボルを取得し、
前記ＵＥにおいて、少なくとも１つのさらなるサブフレームにおける制御チャネルに関して受信された第２のシンボルを取得し、
受信された前記第１のシンボルおよび前記第２のシンボルを復号して、前記ＵＥへ送信された制御情報を取得する、
ように構成された少なくとも１つのプロセッサを備え、
制御情報の信頼性を高めるために、前記制御情報は、前記第１のサブフレームおよび前記少なくとも１つのさらなるサブフレームにおける制御チャネルで送信される、装置。
【請求項５４】
コンピュータ・プログラム製品であって、
少なくとも１つのコンピュータに対して、ユーザ機器（ＵＥ）において、第１のサブフレームにおける制御チャネルに関して受信された第１のシンボルを取得させるためのコードと、
前記少なくとも１つのコンピュータに対して、前記ＵＥにおいて、少なくとも１つのさらなるサブフレームにおける制御チャネルに関して受信された第２のシンボルを取得させるためのコードと、
前記少なくとも１つのコンピュータに対して、受信された前記第１のシンボルおよび前記第２のシンボルを復号して、前記ＵＥへ送信された制御情報を取得させるためのコードと、
を備えるコンピュータ読取可能な媒体を備え、
前記制御情報の信頼性を高めるために、前記制御情報は、前記第１のサブフレームおよび前記少なくとも１つのさらなるサブフレームにおける制御チャネルで送信される、
コンピュータ・プログラム製品。
【発明の詳細な説明】
【優先権の主張】
【０００１】
本願は、本願の譲受人に譲渡され、本明細書において参照によって組み込まれている、「無線ネットワークにおいて、拡大された有効通信範囲を用いて、制御情報を送信するための方法および装置」（METHOD AND APPARATUS FOR SENDING CONTROL INFORMATION WITH ENHANCED COVERAGE IN A WIRELESS NETWORK）と題された、２０１０年５月９日出願の米国仮出願番号６１／３１２，１８７号に対する優先権を主張する。
【技術分野】
【０００２】
本開示は、一般に、通信に関し、さらに詳しくは、無線通信ネットワークにおいて制御情報を送信するための技術に関する。
【背景技術】
【０００３】
無線通信ネットワークは、例えば音声、ビデオ、パケット・データ、メッセージング、ブロードキャスト等のようなさまざまな通信コンテンツを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）シネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局を含みうる。基地局は、データおよび制御情報をＵＥへ送信しうる。ＵＥは、基地局から遠く離れて位置しており、貧弱なチャネル条件を観察しうる。
【０００５】
貧弱なチャネル条件でさえも、ＵＥによって高い信頼性で受信されうるような方式で、制御情報を送信することが望ましい。
【発明の概要】
【０００６】
本明細書では、信頼性を高める方式で、制御情報を送信する技術が記載される。態様では、信頼性を高めるために、制御情報が、独立して構成および操作されうる複数の制御チャネルで送信されうる。
【０００７】
１つの設計では、基地局は、少なくとも１つのＵＥに対して、第１の制御チャネルと第２の制御チャネルとの両方で制御情報を受信するように指示するシグナリングを送信しうる。１つの設計では、第１の制御チャネルが、サブフレームの制御領域で送信された物理ダウンリンク制御チャネル（ＰＤＣＣＨ）を備えうる。そして、第２の制御チャネルが、サブフレームのデータ領域で送信された中継ＰＤＣＣＨ（Ｒ−ＰＤＣＣＨ）を備えうる。基地局は、例えばサブフレームの異なる時間領域および／または周波数領域において、第１および第２の制御チャネルで、少なくとも１つのＵＥのための制御情報を送信しうる。１つの設計では、反復符号化のために、基地局は、制御情報を処理して、符号化されたデータを取得し、この符号化されたデータを、第１の制御チャネルにおいて、また第２の制御チャネルにおいて送信しうる。別の設計では、ジョイント符号化のために、基地局は、制御情報を処理して、符号化されたデータを取得し、この符号化されたデータを、第１の部分と第２の部分とに分割し、第１の部分を第１の制御チャネルで送信し、第２の部分を第２の制御チャネルで送信しうる。
【０００８】
別の態様では、制御情報は、信頼性を高めるために、バンドリングを用いて複数のサブフレーム内の制御チャネルで送信されうる。１つの設計では、反復符号化のために、基地局は、制御情報を処理して、符号化されたデータを取得し、この符号化されたデータを、第１のサブフレームにおける制御チャネルで送信し、符号化された同じデータを、少なくとも１つのさらなるサブフレームにおいて送信しうる。別の設計では、ジョイント符号化のために、基地局は、制御情報を処理して、符号化されたデータを取得し、この符号化されたデータを複数の部分に分割し、符号化されたデータの異なる部分を、おのおののサブフレームの制御チャネルで送信しうる。
【０００９】
ＵＥは、本明細書に記載された設計のうちの何れかにしたがって、基地局によって送信された制御情報を復元するための補足処理を実行しうる。本開示のさまざまな態様および特徴が、以下にさらに詳細に記載される。
【図面の簡単な説明】
【００１０】
【図１】図１は、無線通信ネットワークを示す。
【図２】図２は、典型的なサブフレーム構造を示す。
【図３Ａ】図３Ａは、反復符号化を用いたＰＤＣＣＨとＲ−ＰＤＣＣＨとの両方における制御情報の送信を示す。
【図３Ｂ】図３Ｂは、ジョイント符号化を用いたＰＤＣＣＨとＲ−ＰＤＣＣＨとの両方における制御情報の送信を示す。
【図４】図４は、ＰＤＣＣＨとＲ−ＰＤＣＣＨとの典型的な構成を示す。
【図５】図５は、バンドリングを用いたＲ−ＰＤＣＣＨにおける制御情報の送信を示す。
【図６】図６は、複数の制御チャネルにおいて制御情報を送信する処理を示す。
【図７】図７は、複数の制御チャネルにおいて送信された制御情報を受信する処理を示す。
【図８】図８は、バンドリングを用いて制御情報を送信する処理を示す。
【図９】図９は、バンドリングを用いて送信された制御情報を受信する処理を示す。
【図１０】図１０は、制御情報を送信する装置を示す。
【図１１】図１１は、制御情報を受信する装置を示す。
【図１２】図１２は、基地局およびＵＥのブロック図を示す。
【発明を実施するための形態】
【００１１】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（ＷＣＤＭＡ（登録商標））、およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥアドバンスト（ＬＴＥ−Ａ）は、ダウンリンクではＯＦＤＭＡを適用し、アップリンクではＳＣ−ＦＤＭＡを適用するＥ−ＵＴＲＡを用いるＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナシップ計画」（３ＧＰＰ）と命名された組織からの文書に記載されている。ｃｄｍａ２０００およびＵＭＢは、「第３世代パートナシップ計画２」（３ＧＰＰ２）と命名された組織からの文書に記載されている。本明細書で記載された技術は、他の無線ネットワークおよびラジオ技術と同様に、上述された無線ネットワークおよびラジオ技術のために使用されうる。明確化のために、これら技術のある態様は、以下において、ＬＴＥについて記載されており、ＬＴＥ用語が以下の説明の多くで使用される。
【００１２】
図１は、無線通信ネットワーク１００を示す。これは、ＬＴＥネットワークまたはその他いくつかの無線ネットワークでありうる。無線ネットワーク１００は、多くのイボルブド・ノードＢ（ｅＮＢ）１１０およびその他のネットワーク・エンティティを含みうる。ｅＮＢは、ＵＥと通信するエンティティであり、基地局、ノードＢ、アクセス・ポイント等とも称されうる。おのおののｅＮＢ１１０は、特定の地理的領域のための有効通信範囲を提供し、有効通信範囲エリア内に位置するＵＥのための通信をサポートしうる。ネットワーク容量を改善するために、ｅＮＢの全体的な有効通信範囲エリアが、多数（例えば３つ）の、より小さなエリアへ分割されうる。小さなエリアおのおのは、それぞれのｅＮＢサブシステムによってサービス提供されうる。３ＧＰＰでは、用語「セル」は、この有効通信範囲エリアにサービス提供しているｅＮＢおよび／またはｅＮＢサブシステムのうちの最小の有効通信範囲エリアを称しうる。一般に、ｅＮＢは、１または複数（例えば３つ）のセルをサポートしうる。
【００１３】
無線ネットワーク１００はさらに、中継局をも含みうる。中継局は、データの伝送を上流局（例えば、ｅＮＢまたはＵＥ）から受信し、データの伝送を下流局（例えば、ＵＥまたはｅＮＢ）へ送信するエンティティである。図１に示される例において、中継局１１２は、ｅＮＢ１１０ａとＵＥ１２０ｙとの間の通信を容易にするために、マクロｅＮＢ１１０ａおよびＵＥ１２０ｙと通信しうる。
【００１４】
無線ネットワークの全体にわたって複数のＵＥ１２０が分布しうる。そして、おのおののＵＥは、固定式または移動式でありうる。ＵＥは、移動局、端末、アクセス端末、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、スマート・フォン、ネットブック、スマートブック、タブレット等でありうる。ＵＥは、ダウンリンクおよびアップリンクによってｅＮＢと通信しうる。ダウンリンク（すなわち順方向リンク）は、ｅＮＢからＵＥへの通信リンクを称し、アップリンク（すなわち逆方向リンク）は、ＵＥからｅＮＢへの通信リンクを称する。
【００１５】
図２は、ＬＴＥにおけるダウンリンク用のサブフレーム構造を示す。ダウンリンクの送信タイムラインは、ラジオ・フレームの単位に区分されうる。おのおののラジオ・フレームは、（例えば１０ミリ秒（ｍｓ）のような）予め定められた持続時間を有し、１０個のサブフレームへ区分されうる。おのおののサブフレームは、例えば、（図２に示すように）通常のサイクリック・プレフィクスの場合、１４のシンボル期間、（図２に示されていない）拡張されたサイクリック・プレフィクスの場合、１２のシンボル期間のように、Ｓ個のシンボル期間を含みうる。おのおののサブフレームでは、Ｓ個のシンボル期間が、０乃至Ｓ−１のインデクスを割り当てられうる。
【００１６】
ＬＴＥは、ダウンリンクで直交周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、周波数範囲を、一般にトーン、ビン等とも称される複数（ＮＦＦＴ）個の直交サブキャリアに分割する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（ＮＦＦＴ）は、システム帯域幅に依存しうる。例えば、ＮＦＦＴは、１．２５，２．５，５，１０，２０メガヘルツ（ＭＨｚ）のシステム帯域幅についてそれぞれ１２８，２５６，５１２，１０２４，２０４８にそれぞれ等しい。
【００１７】
ダウンリンクのために利用可能な時間−周波数リソースは、リソース要素の単位に分割されうる。おのおののリソース要素は、１つのシンボル期間において１つのサブキャリアをカバーし、実数値または複素数値である１つの変調シンボルを送信するために使用されうる。ダウンリンクでは、サブフレームのおのおののシンボル期間内で、ＯＦＤＭシンボルが送信されうる。ＯＦＤＭシンボルは、送信のために使用されるリソース要素のための変調シンボルと、送信のために使用されないリソース要素のための、ゼロの信号値を持つゼロ・シンボルとを含みうる。
【００１８】
ＬＴＥでは、図２に示されるように、ダウンリンクのサブフレームは、データ領域が後続する制御領域を含みうる。制御領域は、サブフレームのうちの最初のＱ個のシンボル期間を含みうる。ここで、Ｑは、１，２，３または４に等しくなりうる。Ｑは、サブフレーム毎に変化し、サブフレームの最初のシンボル期間で伝送されうる。制御領域は、制御情報を伝送しうる。データ領域は、サブフレームのうちの残りの（Ｓ−Ｑ）個のシンボル期間を含み、ＵＥのためのデータおよび／またはその他の情報を伝送しうる。
【００１９】
ＬＴＥでは、ｅＮＢは、サブフレームの制御領域で、物理制御フォーマット・インジケータ・チャネル（ＰＣＦＩＣＨ）と、物理ハイブリッドＡＲＱインジケータ・チャネル（ＰＨＩＣＨ）と、物理ダウンリンク制御チャネル（ＰＤＣＣＨ）の１または複数のインスタンスと、を送信しうる。ＰＣＦＩＣＨは、制御領域のサイズ（すなわち、制御領域のシンボル期間の数）を伝送しうる。ＰＨＩＣＨは、ハイブリッド自動反復要求（ＨＡＲＱ）を用いてアップリンクで送信されるデータ送信のためのアクノレッジメント（ＡＣＫ）情報およびネガティブ・アクノレッジメント（ＮＡＣＫ）情報を伝送しうる。ＰＤＣＣＨのおのおののインスタンスは、１または複数の制御チャンネル要素（ＣＣＥ）で送信されうる。おのおののＣＣＥは、９つのリソース要素を含みうる。ＰＤＣＣＨのおのおののインスタンスは、１または複数のＵＥのための制御情報を伝送しうる。これは、ダウンリンク制御情報（ＤＣＩ）とも称されうる。ＤＣＩは、ＰＤＣＣＨによって伝送されるメッセージであり、例えば、ＵＥのリソース割当、または、ＵＥのグループのような制御情報を含む。おのおののＰＤＣＣＨで送信される制御情報は、１または複数のダウンリンク許可、１または複数のアップリンク許可、電力制御情報、および／または、その他の情報を伝送しうる。ダウンリンク許可は、ダウンリンクでデータ送信のための制御情報を伝送しうる。アップリンク許可は、アップリンクでデータ送信のための制御情報を伝送しうる。許可は、特定のＵＥまたはＵＥのグループに送信されうる。許可はまた、割当とも称されうる。ＵＥは、ＰＤＣＣＨの１または複数のインスタンスを傍受するように構成されうる。
【００２０】
ｅＮＢはまた、さらにサブフレームのデータ領域において、中継ＰＤＣＣＨ（Ｒ−ＰＤＣＣＨ）で制御情報を送信しうる。Ｒ−ＰＤＣＣＨは、中継局の動作をサポートするように設計されている。中継局は、ドナーｅＮＢと１または複数のＵＥとの間の通信をサポートするために、バックホール・リンクで、ドナーｅＮＢと通信し、アクセス・リンクで、１または複数のＵＥと通信しうる。中継局は、ＰＣＦＩＣＨ、ＰＨＩＣＨ、およびＰＤＣＣＨをサブフレームの制御領域でＵＥ（単数または複数）へ送信しうる。そして、制御領域でドナーｅＮＢからＰＤＣＣＨを受信するできない場合がある。その後、ドナーｅＮＢは、データ領域で、Ｒ−ＰＤＣＣＨで制御情報を中継局へ送信しうる。データ領域におけるいくつかのリソースは、Ｒ−ＰＤＣＣＨのために予約されうる。Ｒ−ＰＤＣＣＨリソースは、バックホールによってｅＮＢ間でネゴシエートされ、データ領域内の他のリソースよりも低い干渉を観察しうる。Ｒ−ＰＤＣＣＨはまた、例えば、マクロｅＮＢおよび中継局を備えたシナリオ、または、マクロｅＮＢおよびピコｅＮＢを備えたシナリオ等のように、ｅＮＢが制御領域において高い干渉を観察するシナリオで使用されうる。何れの場合であれ、ｅＮＢは、Ｒ−ＰＤＣＣＨの設定を中継局および／またはＵＥへ伝送するためのシグナリングを送信しうる。中継局および／またはＵＥは、その後、このシグナリングに基づいてＲ−ＰＤＣＣＨを受信しうる。
【００２１】
ＰＤＣＣＨおよびＲ−ＰＤＣＣＨは、独立して構成および操作されうる個別の制御チャネルである。さらに、制御情報は、従来、ＰＤＣＣＨのみで、または、Ｒ−ＰＤＣＣＨのみで送信されている。
【００２２】
図２に示されるように、ＰＤＣＣＨ（またはＰＤＣＣＨリソース）を送信するために利用可能なリソースの量は、ＰＤＣＣＨが制御領域に制約されていることにより制限され、サブフレームのうちの最初のＱシンボル期間しか占有しない。この制限されたＰＤＣＣＨリソースの量は、ダウンリンクおよびアップリンクにおけるデータ送信のためにＵＥをスケジュールする際のボトルネックとなりうる。これは、例えば、多くのＵＥが、大きなセルにおいて（例えば、ボイス・オーバ・インターネット・プロトコル（ＶｏＩＰ）コールのための）遅れに敏感なバースト状のトラフィックを有するケースでありうる。この場合、大量の制御情報が、所与のサブフレーム内で多くのＵＥへ送信される必要がありうる。制御領域においてＰＤＣＣＨリソース量が制限されることによって、大量の制御情報を、多くのＵＥへ送信するために不十分となりうる。
【００２３】
大きなセルの有効通信範囲エッジ近傍に位置するＵＥへ制御情報を送信するために、より多くのＰＤＣＣＨリソースが必要とされうる。これらのセル・エッジＵＥは、サービス提供ｅＮＢから遠く離れて配置され、貧弱なチャネル条件を観察しうる。例えば、図１におけるＵＥ１２０ｘは、サービス提供ｅＮＢ１１０ａから遠く離れて配置されており、ｅＮｂ１１０ａについて（例えば、−１０ｄＢまたはそれ未満の）低いジオミトリしか有していない。セル・エッジＵＥは、制御情報が、これらＵＥによって確実に受信されるように、低い符号化レートで、かつ、高いアグリゲーション・レベルを持つ１または複数のＰＤＣＣＨリソースで、送信されることを必要としうる。しかしながら、多くのＵＥがデータ送信のためにスケジュールされている場合、高いアグリゲーション・レベルは本質的には非効率的である。アグリゲーション・レベルは、ＰＤＤＣＨで送信された所与の制御メッセージによって占有されるＣＣＥの数である。
【００２４】
ｅＮＢの最大送信電力は、一般に、規定要件によって制限されているので、ｅＮＢは、制御情報を、高い送信電力で、少ないＰＤＣＣＨリソースで送信することはできない。したがって、特に、スケジュールされた多くのＵＥおよび／またはスケジュールされたいくつかのＵＥが遠くに配置されている場合には、ｅＮＢは、スケジュールされたすべてのＵＥへ、サブフレームの制御領域で、ＰＤＣＣＨリソースで、制御情報を確実に送信するために十分な送信電力を有さない場合がある。したがって、制限された量のＰＤＣＣＨリソースと、ｅＮＢの制限された送信電力とが、ＵＥへ送信されうる制御情報の量を制限しうる。これは、ネットワーク容量に悪影響を与えうる。
【００２５】
態様では、信頼性を高めるため、および／または、送信されうる制御情報の量を増加させるために、制御情報が、ＰＤＣＣＨとＲ−ＰＤＣＣＨとの両方で送信されうる。ＰＤＣＣＨとＲ−ＰＤＣＣＨとの両方で制御情報を送信することは、サービス提供ｅＮＢから遠く離れて配置され、いかなる理由であれ貧弱なチャネル条件しか観察しない不利なＵＥに対して特に適用可能でありうる。例えば、制御情報は、３つのシンボル期間からなる制御領域でのＰＤＣＣＨのみの代わりに、１４のシンボル期間からなるサブフレームで、ＰＤＣＣＨとＲ−ＰＤＣＣＨとの両方でＵＥへ送信されうる。ＵＥは、その後、ＰＤＣＣＨとＲ−ＰＤＣＣＨとについて同じ数のサブフレームが使用されると仮定して、約１４／３または６．７ｄＢ高い高信号対雑音比（ＳＮＲ）で、ＰＤＣＨとＲ−ＰＤＣＣＨとの両方で送信された制御情報を受信することができうる。
【００２６】
制御情報は、さまざまな方式で、ＰＤＣＣＨとＲ−ＰＤＣＣＨとの両方で送信されうる。ＰＤＣＣＨとＲ−ＰＤＣＣＨとの両方で制御情報を送信するいくつかの典型的な設計が以下に記載される。
【００２７】
図３Ａは、反復符号化を用いて、ＰＤＣＣＨとＲ−ＰＤＣＣＨとの両方で制御情報を送信する設計を示す。制御情報は、符号化されたデータを生成するために通常はＰＤＣＣＨのために使用される符号化スキームに基づいて処理（例えば、符号化）されうる。ＰＤＣＣＨが制御領域の３つのシンボル期間で送信される場合、符号化されたデータは、３つの部分ａ，ｂ，ｃに分割されうる。これら３つの部分は、通常はＰＤＣＣＨのためになされるような、制御領域の３つのシンボル期間においてＰＤＣＣＨで送信される。図３Ａに示されるように、通常のサイクリック・プレフィクスの場合、１１のシンボル期間からなるデータ領域で、Ｒ−ＰＤＣＣＨで送信されうる。一般に、符号化されたデータは、Ｒ−ＰＤＣＣＨのリソースを埋めるために、必要に応じて何度も反復されうる。
【００２８】
１つの設計では、ＵＥは、制御領域においてＰＤＣＣＨに関して受信されたシンボルを取得し、この受信されたシンボルを復号して、制御情報を復元する。ＵＥが制御情報を正確に復号すると、ＵＥは、データ領域におけるＲ−ＰＤＣＣＨの受信をスキップしうる。逆に、ＵＥが制御情報を誤って復号すると、ＵＥは、Ｒ−ＰＤＣＣＨに関して受信されたシンボルを取得しうる。その後、ＵＥは、ＰＤＣＣＨとＲ−ＰＤＣＣＨとの両方について、受信されたシンボルを復号して、制御情報を復元する。
【００２９】
１つの設計では、ＰＤＣＣＨとＲ−ＰＤＣＣＨとの両方を、反復符号化を用いて復号するために、ＵＥは、ＰＤＣＣＨに関して受信されたシンボルを、Ｒ−ＰＤＣＣＨに関して受信されたシンボルと結合し、結合シンボルを取得する。例えば、ＵＥは、Ｒ−ＰＤＣＣＨに関して、シンボル期間３，６，９，１２における部分に対応する、受信されたシンボルを、ＰＤＣＣＨに関して、シンボル期間０における部分に対応する、受信されたシンボルと結合し、部分ａに関する結合シンボルを取得する。ＵＥは、すべての部分について、結合シンボルの復号メトリックを計算し、次に、復号メトリックを復号して、制御情報を復元する。復号メトリックは、ログ尤度比（ＬＬＲ）またはその他いくつかのメトリックを備えうる。ＵＥはまた、反復復号化のために、その他の方式で、ＰＤＣＣＨとＲ−ＰＤＣＣＨとの両方を復号しうる。
【００３０】
図３Ａに示す反復符号化設計は、ある長所を有しうる。第１に、制御情報は、ＰＤＣＣＨのみで送信されたか、または、ＰＤＣＣＨとＲ−ＰＤＣＣＨとの両方で送信されたかに関わらず、同じ方式で処理されうる。これは、ＰＤＣＣＨおよびＲ−ＰＤＣＣＨでｅＮＢが制御情報を送信し、ＵＥが制御情報を受信するための処理オーバヘッドを低減しうる。これはまた、制御情報を復元するために、ＵＥがＰＤＣＣＨのみを復号すること、Ｒ−ＰＤＣＣＨのみを復号すること、ＰＤＣＣＨとＲ−ＰＤＣＣＨとの両方を復号すること、を可能にしうる。
【００３１】
図３Ｂは、ジョイント符号化を用いて、ＰＤＣＣＨとＲ−ＰＤＣＣＨとの両方で制御情報を送信する設計を示す。制御情報は、ＰＤＣＣＨとＲ−ＰＤＣＣＨとの両方のための符号化されたデータを生成するために、十分低い符号化レートを持つ符号化スキームに基づいて処理（例えば、符号化）されうる。ＰＤＣＣＨが制御領域の３つのシンボル期間で送信され、Ｒ−ＰＤＣＣＨが通常のサイクリック・プレフィクスについて、１１のシンボル期間からなるデータ領域で送信された場合、符号化されたデータは、１４の部分ａ乃至ｎへ分割されうる。３つの部分ａ，ｂ，ｃは、３つのシンボル期間からなる制御領域で、ＰＤＣＣＨで送信されうる。図３Ｂに示されるように、残りの１１の部分ｄ乃至ｎは、１１のシンボル期間からなるデータ領域で、Ｒ−ＰＤＣＣＨで送信されうる。
【００３２】
ＵＥは、ＰＤＣＣＨについて受信されたシンボルのみならず、Ｒ−ＰＤＣＣＨについて受信されたシンボルをも取得しうる。ＵＥは、ＰＤＣＣＨとＲ−ＰＤＣＣＨとの両方について受信されたシンボルを復号して、制御情報を復元しうる。１つの設計では、ジョイント符号化を用いてＰＤＣＣＨとＲ−ＰＤＣＣＨとの両方を復号するために、ＵＥは、ＰＤＣＣＨに関して受信されたシンボルの復号メトリックを計算し、Ｒ−ＰＤＣＣＨに関して受信されたシンボルの復号メトリックを計算し、ＰＤＣＣＨとＲ−ＰＤＣＣＨとの両方のための復号メトリックを復号して、制御情報を復元する。ＵＥはまた、ジョイント符号化のために、ＰＤＣＣＨとＲ−ＰＤＣＣＨとの両方を、別の方式でも復号しうる。
【００３３】
図３Ｂに示すジョイント符号化は、ある長所を有しうる。例えば、ジョイント符号化は、反復符号化よりも、より良好な符号化利得を提供しうる。より良好な符号化利得は、復号パフォーマンスを高めうる。
【００３４】
ｅＮＢは、１、２、４、８のアグリゲーション・レベルにそれぞれ対応する１、２、４、８個のＣＣＥで、ＰＤＣＣＨで制御情報を送信しうる。制御情報のための異なる保護レベルまたは信頼性レベルのために、異なるアグリゲーション・レベルが使用されうる。ｅＮＢは、共通の探索空間内に、およびＵＥのためのＵＥ特有の探索空間内に配置されうるあるＣＣＥのみで、所与のＵＥへ制御情報を送信しうる。検索空間は、ＵＥがＰＤＣＣＨを発見しうるＣＣＥ位置のセットを備えうる。共通の探索空間は、すべてのＵＥに適用可能である一方、ＵＥ特有の探索空間は、ＵＥに特有でありうる。ロング・ターム・イボリューション（ＬＴＥ）リリース８では、おのおののユーザ機器（ＵＥ）が、制御領域において、共通の探索空間とＵＥ特有の探索空間との両方をモニタしうる。ＵＥは、共通の探索空間と、ＵＥ特有の探索空間とにおいて、多くのＰＤＣＣＨ候補を有しうる。おのおののＰＤＣＣＨ候補は、制御情報がＵＥへ送信されうるＣＣＥの特有のセットに対応しうる。おのおののＰＤＣＣＨ候補について、ＵＥは、ＵＥによってサポートされる各ＤＣＩサイズについてブラインド復号を実行しうる。ＤＣＩサイズは、ＰＤＣＣＨで送信する制御情報のビット数を決定する。これは、符号化レートに影響する。ＵＥによって実行されるブラインド復号の総数は、ＵＥによってサポートされるＤＣＩサイズの数と、ＰＤＣＣＨ候補の数とに依存しうる。例えば、ＵＥは、（ｉ）ＵＥ特有の探索空間では、アグリゲーション・レベル１，２，４，８それぞれについて、６，６，２，２のＰＤＣＣＨ候補を有し、（ｉｉ）共通探索空間では、アグリゲーション・レベル４、８にそれぞれについて、４，２のＰＤＣＣＨ候補を有しうる。このように、ＵＥは、両方の探索空間について、合計して２２のＰＤＣＣＨ候補を有しうる。その後、ＵＥは、２つのＤＣＩサイズに関し、２２のＰＤＣＣＨ候補について、合計して４４のブラインド復号を実行しうる。
【００３５】
１つの設計では、ＵＥは、制御情報がＵＥへ送信されうるＲＤＣＣＨ領域およびＲ−ＰＤＣＣＨ領域を用いて設定されうる。ＰＤＣＣＨ領域は、Ｋ個の位置を含みうる。ここで、ＰＤＣＣＨはＵＥへ送信されうる。ここでＫは任意の値でありうる。例えば、Ｋ個のＰＤＣＣＨ位置は、共通の探索空間、およびＵＥのためのＵＥ特有の探索空間における２２のＰＤＣＣＨ候補に対応しうる。Ｒ−ＰＤＣＣＨ領域は、Ｍ個の位置を含みうる。ここで、Ｒ−ＰＤＣＣＨは、ＵＥへ送信されうる。ここでＭは任意の値でありうる。
【００３６】
図４は、ＰＤＣＣＨおよびＲ−ＰＤＣＣＨの典型的な設定を示す。制御御域におけるＰＤＣＣＨ領域は、Ｋ個の位置を含みうる。ここではＰＤＣＣＨが送信されうる。Ｋ個のＰＤＣＣＨ位置は、制御領域において、（図４に示すような）非オーバラップ・リソースおよび／または（図４に示されてない）オーバラップ・リソースを占有しうる。ＰＤＣＣＨ位置は、（図４に示すように）互いに隣接しているか、または、（図４に示されていないが）制御領域にわたって分散しうる。ＰＤＣＣＨは、Ｋ個のＰＤＣＣＨ位置のうちの何れか１つで送信されうる。
【００３７】
同様に、データ領域におけるＲ−ＰＤＣＣＨ領域は、Ｍ個の位置を含みうる。ここでは、Ｒ−ＰＤＣＣＨが送信されうる。Ｍ個のＲ−ＰＤＣＣＨ位置は、データ領域内に、非オーバラップ・リソースおよび／またはオーバラップ・リソースを占有しうる。Ｒ−ＰＤＣＣＨ位置は、（図４に示すように）互いに隣接しているか、または、（図４に示されていないが）データ領域にわたって分散しうる。Ｒ−ＰＤＣＣＨは、Ｍ個のＲ−ＰＤＣＣＨ位置のうちの何れか１つで送信されうる。
【００３８】
一般に、ＰＤＣＣＨ領域は、任意の数のＰＤＣＣＨ位置を含みうる。そして、Ｒ−ＰＤＣＣＨ領域は、任意の数のＲ−ＰＤＣＣＨ位置を含みうる。Ｋ個のＰＤＣＣＨ位置は、同じサイズまたは異なるサイズを有しうる。Ｍ個のＲ−ＰＤＣＣＨ位置はさらに、同じサイズまたは異なるサイズを有しうる。これは、ＰＤＣＣＨ位置のサイズ(単数または複数)に一致することもしないこともありうる。
【００３９】
ＰＤＣＣＨおよびＲ−ＰＤＣＣＨの多くの組み合わせが定義されうる。おのおのの組み合わせは、特定のＰＤＣＣＨ位置および特定のＲ−ＰＤＣＣＨ位置を含みうる。１つの設計では、おのおののＰＤＣＣＨ位置は、何れかのＲ−ＰＤＣＣＨとペアをなし、（Ｋ×Ｍ）個の可能な組み合わせの総数は、ＰＤＣＣＨ領域におけるＫ個のＰＤＣＣＨ位置と、Ｒ−ＰＤＣＣＨ領域におけるＭ個のＲ−ＰＤＣＣＨ位置とに基づいて定義されうる。別の設計では、ＰＤＣＣＨ位置のＲ−ＰＤＣＣＨ位置へのペアリングを制限することによって、（Ｋ×Ｍ）個未満の組み合わせが定義されうる。何れの場合であれ、制御情報は、ＰＤＣＣＨとＲ−ＰＤＣＣＨとの１つの組み合わせに対応する特有のＰＤＣＣＨ位置と特有のＲ−ＰＤＣＣＨ位置において制御情報を送信することによって、ＰＤＣＣＨとＲ−ＰＤＣＣＨとの両方で送信されうる。
【００４０】
ＵＥは、制御情報のために、ＰＤＣＣＨのみ、Ｒ−ＰＤＣＣＨのみ、またはＰＤＣＣＨとＲ−ＰＤＣＣＨとの両方をモニタするために、さまざまな方式で設定されうる。１つの設計では、ＵＥは、ＰＤＣＣＨをモニタするように明示的または暗黙的に設定されうる。ＵＥはまた、例えば個別のシグナリングによって、Ｒ−ＰＤＣＣＨをモニタするように構成されうる。ＵＥはまた、ＰＤＣＣＨとＲ−ＰＤＣＣＨとの両方をモニタするように構成されうる。これは、ＰＤＣＣＨとＲ−ＰＤＣＣＨとのジョイント割当と称されうる。
【００４１】
１つの設計では、制御ビットまたはフラグが、物理ブロードキャスト・チャネル（ＰＢＣＨ）でブロードキャストされ、制御情報のモニタリングするようにＵＥを設定するために使用されうる。制御ビットは、指定されたＵＥが、制御情報を求めて、ＰＤＣＣＨとＲ−ＰＤＣＣＨとの別の可能な組み合わせをモニタすべきであることを示す第１の値（例えば、“１”）に設定されうる。指定されたＵＥは、ＰＤＣＣＨとＲ−ＰＤＣＣＨとの両方で送信された制御情報を受信できるＵＥであるか、または、貧弱なチャネル条件を観察しているＵＥであるか、またはその他のＵＥでありうる。指定されたおのおののＵＥは、制御ビットが第１の値に設定されている場合に、制御情報をモニタするために、ＰＤＣＣＨとＲ−ＰＤＣＣＨとの組み合わせのセットについてブラインド復号を実行しうる。制御ビットは、指定されたＵＥが、制御情報を求めて、ＰＤＣＣＨのみ、および／または、Ｒ−ＰＤＣＣＨのみ（すなわち、ＰＤＣＣＨのみ、またはＲ−ＰＤＣＣＨのみ、または、ＰＤＣＣＨとＲ−ＰＤＣＣＨとを個別に）をモニタすべきであることを示す第２の値（例えば、“０”）に設定されうる。この場合、指定されたおのおののＵＥは、制御ビットが第２の値に設定されている場合、チャネル情報を求めてモニタするために、ＰＤＣＣＨのみ、および／または、Ｒ−ＰＤＣＣＨのみを復号しうる。
【００４２】
別の設計では、制御情報のためＰＤＣＣＨおよび／またはＲ−ＰＤＣＣＨをモニタするようにおのおののＵＥを設定するために、個々のＵＥへシグナリングが送信されうる。シグナリングは、上部レイヤ・シグナリング（例えば、ラジオ・リソース制御（ＲＲＣ）シグナリング）またはプロトコル・スタックの他のレイヤにおけるシグナリングでありうる。シグナリングは、ＰＤＣＣＨのみ、Ｒ−ＰＤＣＣＨのみ、またはＰＤＣＣＨとＲ−ＰＤＣＣＨとの両方をモニタするように、所与のＵＥを設定しうる。ＵＥは、その後、シグナリングによって示されるように、この設定にしたがって、ＰＤＣＣＨおよび／またはＲ−ＰＤＣＣＨをモニタしうる。この設計によって、ＵＥ毎ベースでモニタリングが設定されるようになる。いくつかのＵＥ（例えば、セル・エッジＵＥ）は、ＰＤＣＣＨとＲ−ＰＤＣＣＨとの両方をモニタするように構成される一方、他のＵＥは、ＰＤＣＣＨのみ、および／または、Ｒ−ＰＤＣＣＨのみをモニタするように構成されうる。
【００４３】
上述した両設計の場合、制御情報が、ＰＤＣＣＨとＲ−ＰＤＣＣＨとの多くの可能な組み合わせで送信されうる。第１の設計では、ＰＤＣＣＨとＲ−ＰＤＣＣＨとの間にマッピングは存在せず、制御情報が、ＰＤＣＣＨ位置ｋとＲ−ＰＤＣＣＨ位置ｍとの組み合わせを含みうるＰＤＣＣＨとＲ−ＰＤＣＣＨとの（Ｋ×Ｍ）個の可能な組み合わせで送信されうる。ここで、ｋ＝１，・・・，Ｋであり、ｍ＝１，・・・，Ｍである。この設計では、所与のＵＥの制御情報は、ＰＤＣＣＨ領域におけるＫ個のＰＤＣＣＨ位置の何れかで送信され、また、Ｒ−ＰＤＣＣＨ領域におけるＭ個のＲ−ＰＤＣＣＨ位置のうちの何れかで送信されうる。制御情報は、任意の組み合わせで送信されうるので、ＵＥは、ＰＤＣＣＨとＲ−ＰＤＣＣＨとの（Ｋ×Ｍ）個のすべての可能な組み合わせについてブラインド復号を実行しうる。
【００４４】
第２の設計では、ブラインド復号のためのＰＤＣＣＨとＲ−ＰＤＣＣＨとの可能な組み合わせの数を低減するために、予め定められたマッピングに基づいて、Ｋ個のＰＤＣＣＨ位置が、Ｍ個のＲ−ＰＤＣＣＨ位置にマップされうる。第１のマッピング・スキームでは、おのおののＰＤＣＣＨ位置が、多くとも１つのＲ−ＰＤＣＣＨ位置にマップされうる。例えば、ＰＤＣＣＨ領域ｉは、Ｒ−ＰＤＣＣＨ領域ｉへマップされうる。ここで、i＝１，・・・，Ｐであり、Ｐは、ＫおよびＭよりも小さくなりうる。所与のＵＥの制御情報は、制御領域におけるＰＤＣＣＨ位置ｉにおいて、また、データ領域におけるＲ−ＰＤＣＣＨ位置ｉにおいて送信されうる。このマッピング・スキームの場合、ＵＥは、制御情報をＵＥへ送信するために使用されうるＰＤＣＣＨとＲ−ＰＤＣＣＨとのＰ個の可能な組み合わせのみのためにブラインド復号を実行しうる。第２のマッピング・スキームでは、おのおののＰＤＣＣＨ位置が、Ｌ個のＲ−ＰＤＣＣＨ位置にマップされうる。ここでＬは、Ｍよりも小さくなりうる。例えば、ＰＤＣＣＨ位置ｋは、Ｒ−ＰＤＣＣＨ位置（ｋ  ｍｏｄ  Ｍ）乃至（（ｋ＋Ｌ−１）ｍｏｄ  Ｍ）によってマップされうる。ここで、“ｍｏｄ”は、モジュロ演算を示す。所与のＵＥの制御情報は、制御領域におけるＰＤＣＣＨ位置ｋにおいて、また、データ領域におけるＬ個の可能なＲ−ＰＤＣＣＨ位置のうちの１つにおいて送信されうる。第２のマッピング・スキームの場合、ＵＥは、ＵＥへ制御情報を送信するために使用されうるＰＤＣＣＨとＲ−ＰＤＣＣＨとのＫ×Ｌの可能な組み合わせについてブラインド復号を実行しうる。
【００４５】
一般に、ＰＤＣＣＨとＲ−ＰＤＣＣＨとの間の次第に制限が厳しくなるマッピングの結果、復号するＰＤＣＣＨとＲ−ＰＤＣＣＨとの可能な組み合わせも次第に少なくなり、もって、ＵＥのための探索空間も次第に小さくなる。１つの設計では、ＰＤＣＣＨおよびＲ−ＰＤＣＣＨの探索空間は、すべてのＵＥに対して同じでありうる。別の設計では、異なるＵＥのために、異なる探索空間が設定されうる。
【００４６】
別の態様では、制御情報は、信頼性を高めるために、バンドリングを用いて、複数のサブフレームにおいてＲ−ＰＤＣＣＨで送信されうる。バンドリングを用いてＲ−ＰＤＣＣＨで制御情報を送信することは、特に、不利なＵＥに対して適用可能でありうる。例えば、制御情報は、１つのサブフレームの３シンボル期間におけるＰＤＣＣＨではなく、Ｎ個のサブフレームの１１シンボル期間におけるＲ−ＰＤＣＣＨでＵＥへ送信されうる。ＵＥは、約（１１×Ｎ）／３倍高い、すなわち、Ｎ＝２の場合、８．６ｄＢ高いＳＮＲで、制御情報を受信しうる。
【００４７】
図５は、バンドリングを用いて、Ｒ−ＰＤＣＣＨで制御情報を送信する設計を示す。制御情報は、符号化されたデータを生成するために、符号化スキームに基づいて処理（例えば、符号化）されうる。符号化されたデータは、Ｎ個のサブフレームでＲ−ＰＤＣＣＨで送信されうる。ここでＮは、１よりも大きい。Ｎ個のサブフレームは、（図５に示すように）連続するサブフレームでありうるか、（図５に示されていないように）不連続なサブフレームでありうる。１つの設計では、反復符号化が使用され、同じ符号化データが、Ｎ個のサブフレームのおのおので、Ｒ−ＰＤＣＣＨで送信されうる。別の設計では、ジョイント符号化が使用されうる。そして、符号化されたデータは、Ｎ個の部分へ分割されうる。符号化されたデータの異なる部分は、おのおののサブフレームにおいてＲ−ＰＤＣＣＨで送信されうる。
【００４８】
ＵＥは、さまざまな方式で、バンドリングを用いて、Ｒ−ＰＤＣＣＨを復号しうる。１つの設計では、ＵＥは、Ｒ−ＰＤＣＣＨのおのおのの送信を受信した後に、復号を実行しうる。ＵＥは、第１のサブフレームにおいてＲ−ＰＤＣＣＨに関して受信されたシンボルを取得しうる。そして、制御情報を復元するために、この受信されたシンボルを復号しうる。ＵＥは、制御情報を正確に復号すると、Ｒ−ＰＤＣＣＨの残りの送信をスキップしうる。逆に、ＵＥは、制御情報を誤って復号すると、次のサブフレームにおいてＲ−ＰＤＣＣＨに関して受信されたシンボルを取得しうる。そして、制御情報を復元するために、両方のサブフレームからの受信されたシンボルを復号しうる。ＵＥは、制御情報が正しく復号されるまで、または、Ｒ−ＰＤＣＣＨのＮ個すべての送信が受信され復号されるまで、処理を繰り返しうる。別の設計では、ＵＥは、Ｒ−ＰＤＣＣＨのＮ個すべての送信を受信した後、あるいは、ある最低数のＲ−ＰＤＣＣＨの送信等の後、復号を実行しうる。
【００４９】
ＵＥは、さまざまな方式で、バンドリングを用いて、Ｒ−ＰＤＣＣＨを受信するように構成されうる。１つの設計では、バンドリングを用いてＲ−ＰＤＣＣＨを受信するようにＵＥを設定するために、ＵＥへシグナリング（例えば、ＲＲＣシグナリング）が送信されうる。例えば、このシグナリングは、制御情報を送信するために使用されるＲ−ＰＤＣＣＨの時間位置および／または周波数位置と、バンドリングを用いて制御情報が送信されるサブフレームの数（すなわち、バンドリング・サイズ）等を伝送しうる。１つの設計では、制御情報は、（例えば、バックホール・ネゴシエーションによって）Ｒ−ＰＤＣＣＨのために既に予約されたリソースを用いて、バンドリングを用いてＲ−ＰＤＣＣＨで送信されうる。したがって、Ｒ−ＰＤＣＣＨのためのバンドリングをサポートするために、追加のバックホール・ネゴシエーションが必要とされうる。別の設計では、例えば、バンドリングがイネーブルされている場合にはいつでも、バンドリングを用いたＲ−ＰＤＣＣＨのためにリソースが予約されうる。
【００５０】
上述され、図５に示されたように、バンドリングはＲ−ＰＤＣＣＨのために使用されうる。バンドリングはまた、ＰＤＣＣＨのため、ＰＤＣＣＨとＲ−ＰＤＣＣＨとの両方のため、またはその他いくつかの制御チャネル、またはこれらの組み合わせのために使用されうる。
【００５１】
前述された記載は、ＰＤＣＣＨが制御領域のすべてのシンボル期間において送信され、Ｒ−ＰＤＣＣＨがデータ領域のすべてのシンボル期間において送信される、と仮定する。一般に、ＰＤＣＣＨおよびＲ−ＰＤＣＣＨはおのおの、任意の数おシンボル期間、および、任意の数のサブキャリアにおいて送信されうる。ＰＤＣＣＨのために使用されたリソース、および／または、Ｒ−ＰＤＣＣＨのために使用されたリソースは、ＵＥに伝送または伝えられ、これによって、これらリソースは、ＰＤＣＣＨおよび／またはＲ−ＰＤＣＣＨで送信された制御情報を受信できるようになる。
【００５２】
本明細書において記載された技術は、前述したように、ＰＤＣＣＨおよび／またはＲ−ＰＤＣＣＨで制御情報を送信するために使用されうる。別の設計では、中継ＰＨＩＣＨ（Ｒ−ＰＨＩＣＨ）が、例えば、Ｒ−ＰＤＣＣＨと類似の方式で、データ領域で送信されうる。ＡＣＫ／ＮＡＣＫ情報は、例えば、前述したように、ＰＤＣＣＨのみで、Ｒ−ＰＤＣＣＨのみで、または、ＰＤＣＣＨとＲ−ＰＤＣＣＨとの両方で制御情報を送信するために、ＰＨＩＣＨのみで、Ｒ−ＰＨＩＣＨのみで、または、ＰＨＩＣＨとＲ−ＰＨＩＣＨとの両方で送信されうる。また別の設計では、中継ＰＣＦＩＣＨ（Ｒ−ＰＣＦＩＣＨ）が、例えば、Ｒ−ＰＤＣＣＨと類似の方式で、データ領域で送信されうる。制御領域サイズの情報は、ＰＣＦＩＣＨのみで、Ｒ−ＰＣＦＩＣＨのみで、またはＰＣＦＩＣＨとＲ−ＰＣＦＩＣＨとの両方で送信されうる。本明細書に記載された技術は、その他の制御チャネルのためにも使用されうる。
【００５３】
図６は、制御情報を送信する処理６００の設計を示す。処理６００は、（以下に説明するように）基地局／ｅＮＢ、または、その他いくつかのエンティティ（例えば、中継局）によって実行されうる。基地局は、少なくとも１つのＵＥに対して、第１の制御チャネル（例えば、ＰＤＣＣＨ）と第２の制御チャネル（例えば、Ｒ−ＰＤＣＣＨ）との両方で制御情報を受信するよう指示するシグナリングを送信しうる（ブロック６１２）。このシグナリングは、おのおののＵＥへ送信された上部レイヤ・シグナリング（例えば、ＲＲＣシグナリング）、または、すべてのＵＥまたはＵＥのグループへ送信されたブロードキャスト・シグナリング（例えば、制御ビット）、および／または、その他いくつかのシグナリングを備えうる。
【００５４】
基地局は、少なくとも１つのＵＥのための制御情報を生成しうる（ブロック６１４）。制御情報は、少なくとも１つのＵＥのために、少なくとも１つのダウンリンク許可、および／または、少なくとも１つのアップリンク許可を備えうる。制御情報はまた、例えばＡＣＫ／ＮＡＣＫ情報、電力制御情報等のようなその他のタイプの情報をも備えうる。基地局は、第１の制御チャネルで、少なくとも１つのＵＥのための制御情報を送信しうる（ブロック６１６）。基地局はまた、制御情報の信頼性を高めるために、第２の制御チャネルでも、少なくとも１つのＵＥのための制御情報を送信しうる（ブロック６１８）。
【００５５】
第１および第２の制御チャネルは、独立して構成および操作されうる。第１および第２の制御チャネルは、ＰＤＣＣＨおよびＲ−ＰＤＣＣＨに、または、ＰＨＩＣＨおよびＲ−ＰＨＩＣＨに、または、ＰＣＦＩＣＨおよびＲ−ＰＣＦＩＣＨに、または、その他いくつかの制御チャネルの組み合わせに対応しうる。１つの設計では、第１の制御チャネルが、サブフレームの第１の領域で送信され、第２の制御チャネルが、サブフレームの、第１の領域とは異なる第２の領域で送信されうる。第１および第２の領域は、（図２に示されるように）異なる期間に、および／または、異なる周波数範囲に位置し、異なるリソースを占有しうる。第１および第２の領域は、サブフレーム内の制御領域およびデータ領域に、または、少なくとも１つのＵＥに適用可能なＰＤＣＣＨ領域およびＲ−ＰＤＣＣＨ領域に、等に対応しうる。第１および第２の制御チャネルは、同じサイズまたは異なるサイズを有しうる。
【００５６】
１つの設計では、反復符号化のために、基地局が、制御情報を処理し、符号化されたデータを取得しうる。基地局は、その後、この符号化されたデータを、第１の制御チャネルおよび第２の制御チャネルで送信しうる。別の設計では、ジョイント符号化のために、基地局は、制御情報を処理して、符号化されたデータを取得し、この符号化されたデータを、第１の部分と第２の部分に分割しうる。基地局は、第１の制御チャネルで第１の部分を送信し、第２の制御チャネルで第２の部分を送信しうる。
【００５７】
基地局は、第１の制御チャネルのみで、または、第２の制御チャネルのみで、または、第１の制御チャネルと第２の制御チャネルとの両方で、制御情報を所与のＵＥへ送信しうる。基地局は、少なくとも１つのＵＥの設定に基づいて、第１および第２の制御チャネルの両方で、制御情報を少なくとも１つのＵＥへ送信することを決定しうる。基地局は、第１の制御チャネルのみで、または、第２の制御チャネルのみで、少なくとも１つの他のＵＥのための別の制御情報を送信しうる。
【００５８】
図７は、制御情報を受信する処理７００の設計を示す。処理７００は、（以下に説明するように）ＵＥによって実行されうるか、または、その他いくつかのエンティティ（例えば、中継局）によって実行されうる。ＵＥは、第１の制御チャネル（例えば、ＰＤＣＣＨ）と第２の制御チャネル（例えば、Ｒ−ＰＤＣＣＨ）との両方で制御情報を受信するようにＵＥに指示するシグナリングを受信しうる（ブロック７１２）。ＵＥは、第１の制御チャネルに関して受信された第１のシンボルを取得しうる（ブロック７１４）。そして、第２の制御チャネルに関して受信された第２のシンボルをも取得しうる（ブロック７１６）。ＵＥは、制御情報の信頼性を高めるために、受信された第１および第２のシンボルを復号して、第１および第２の制御チャネルで送信された制御情報を取得しうる（ブロック７１８）。１つの設計では、第１の制御チャネルは、サブフレームの第１の領域で送信されうる。第２の制御チャネルは、サブフレームの、第１の領域とは異なる第２の領域で送信されうる。
【００５９】
１つの設計では、制御情報は、第１および第２の制御チャネルで、反復符号化を用いて送信されうる。この場合、ＵＥは、第１の制御チャネルのみで送信された制御情報に関して受信されたシンボルを復号するために使用されるデコーダに基づいて、受信された第１および第２のシンボルを復号しうる。ＵＥは、受信された第１および第２のシンボルを結合して、結合シンボルを取得し、この結合シンボルに基づいて、復号メトリック（例えば、ＬＬＲ）を計算し、この復号メトリックを復号して、制御情報を復元しうる。
【００６０】
別の設計では、制御情報は、第１および第２の制御チャネルで、ジョイント符号化を用いて送信されうる。そして、別の符号化されたデータは、第１および第２の制御チャネルで送信されうる。この場合、ＵＥは、第１の制御チャネルのみで送信された制御情報のために受信されたシンボルを復号するために使用されるデコーダとは異なるデコーダに基づいて、受信された第１および第２のシンボルを復号しうる。ＵＥは、受信された第１のシンボルに基づいて第１の復号メトリックを計算し、受信された第２のシンボルに基づいて第２の復号メトリックを計算し、第１および第２の復号メトリックを復号して、制御情報を復元する。
【００６１】
１つの設計では、ＵＥは、第１の制御チャネルと第２の制御チャネルとの複数の可能な組み合わせに対して、ブラインド復号を実行しうる。おのおのの可能な組み合わせは、第１の制御チャネルの特定の位置と、第２の制御チャネルの特定の位置とに対応しうる。１つの設計では、複数の可能な組み合わせは、（Ｋ×Ｍ）個のすべての可能な組み合わせを含みうる。ここで、Ｋは、第１の制御チャネルの可能な位置の数であり、Ｍは、第２の制御チャネルの可能な位置の数である。別の設計では、複数の可能な組み合わせは、第１および第２の制御チャネルのすべての可能な組み合わせのサブセットを含みうる。このサブセットは、上述したように、第１の制御チャネルと第２の制御チャネルとの間の予め定められたマッピングに基づいて決定されうる。
【００６２】
ＵＥはまた、第１の制御チャネルのみで、または、第２の制御チャネルのみで、制御情報を受信するように、ＵＥに対して指示するシグナリングを受信しうる。この場合、ＵＥは、このシグナリングに応じて、第１の制御チャネルのみに関して、または、第２の制御チャネルのみに関して、受信されたシンボルを取得および復号しうる。
【００６３】
１つの設計では、ＵＥは、制御情報から、ダウンリンク許可および／またはアップリンク許可を取得しうる。ＵＥは、ダウンリンク許可に基づいてダウンリンクでデータ送信を受信しうる、および／または、アップリンク許可に基づいてアップリンクでデータ送信を行いうる。制御情報はまた、例えばＡＣＫ／ＮＡＣＫ情報、電力制御情報等のようなその他のタイプの情報をも備えうる。
【００６４】
図８は、バンドリングを用いて制御情報を送信するための処理８００の設計を示す。処理８００は、（以下に説明するように）基地局／ｅＮＢ、または、その他いくつかのエンティティ（例えば、中継局）によって実行されうる。基地局は、少なくとも１つのＵＥのための制御情報を生成しうる（ブロック８１２）。制御情報は、少なくとも１つのＵＥのための少なくとも１つのダウンリンク許可、および／または、少なくとも１つのアップリンク許可を備えうる。制御情報はまた、その他のタイプの情報をも備えうる。
【００６５】
基地局は、第１のサブフレームにおいて、制御チャネルで、少なくとも１つのＵＥのための制御情報を送信しうる（ブロック８１４）。基地局はまた、制御情報の信頼性を高めるために、少なくとも１つのさらなるサブフレームにおいて、制御チャネルで、少なくとも１つのＵＥのための同じ制御情報を送信しうる（ブロック８１６）。
【００６６】
１つの設計では、反復符号化のために、基地局は、制御情報を処理して、符号化されたデータを取得しうる。基地局は、符号化されたデータを、第１のサブフレーム、および、少なくとも１つのさらなるサブフレームにおける制御チャネルで送信しうる。別の設計では、ジョイント符号化のために、基地局は、制御情報を処理して、符号化されたデータを取得しうる。そして、符号化されたデータを、複数の部分へ分割しうる。基地局は、符号化されたデータの異なる部分を、おのおののサブフレームで、制御チャネルで送信しうる。
【００６７】
制御情報は、バンドリングを用いずに１つのサブフレームにおいて、または、バンドリングを用いて複数のサブフレームにおいて、制御チャネルで送信しうる。基地局は、バンドリングを用いた複数のサブフレームにおいて、制御チャネルで、制御情報を受信するように少なくとも１つのＵＥに対して指示するシグナリングを送信しうる。
【００６８】
図９は、バンドリングを用いて送信された制御情報を受信するための処理９００の設計を示す。処理９００は、（以下に説明するように）ＵＥによって実行されうるか、または、その他いくつかのエンティティ（例えば、中継局）によって実行されうる。ＵＥは、第１のサブフレームで、制御チャネルに関して受信された第１のシンボルを取得しうる（ブロック９１２）。ＵＥはまた、少なくとも１つのさらなるサブフレームで、制御チャネルに関して受信された第２のシンボルをも取得しうる（ブロック９１４）。ＵＥは、ＵＥへ送信された制御情報を取得するために、受信された第１および第２のシンボルを復号しうる（ブロック９１６）。制御情報は、制御情報の信頼性を高めるために、第１のサブフレームおよび少なくとも１つのさらなるサブフレームにおいて、制御チャネルで送信されうる。
【００６９】
ＵＥは、バンドリングを用いて制御チャネルで制御情報を受信するようにＵＥに指示するシグナリングを受信しうる。ＵＥは、（ｉ）バンドリングのためのシグナリングが受信されなかった場合、単一のサブフレームで、または、（ｉｉ）バンドリングのためのシグナリングが受信された場合、複数のサブフレームで、制御チャネルにおいて制御情報を受信しうる。
【００７０】
１つの設計では、ＵＥは、制御情報から、ダウンリンク許可、および／または、アップリンク許可を取得しうる。ＵＥは、ダウンリンク許可に基づいて、ダウンリンクでデータ送信を受信しうるか、および／または、アップリンク許可に基づいて、アップリンクでデータ送信を送りうる。制御情報はまた、その他のタイプの情報をも備えうる。
【００７１】
図１０は、制御情報を送信する装置１０００の設計を示す。装置１０００は、基地局、または中継局、またはその他いくつかのエンティティの一部によって実行されうる。装置１０００内では、モジュール１０１２は、制御情報を受信するようにＵＥを設定する。１つの設計では、モジュール１０１２は、第１の制御チャネル（例えば、ＰＤＣＣＨ）と第２の制御チャネル（例えば、Ｒ−ＰＤＣＣＨ）との両方で制御情報を受信するように少なくとも１つのＵＥを設定し、少なくとも１つのＵＥに対して、第１の制御チャネルと第２の制御チャネルとの両方で制御情報を受信するように指示するシグナリングを生成（ブロードキャストおよび／またはユニキャスト）しうる。別の設計では、モジュール１０１２は、バンドリングを用いて複数のサブフレームにおいて、制御チャネルで制御情報を受信するように少なくとも１つのＵＥを設定しうる。モジュール１０１２はさらに、別の方式で制御情報を受信するように少なくとも１つのＵＥを設定しうる。
【００７２】
モジュール１０１４は、制御情報を生成し、ＵＥへ送信しうる。１つの設計では、モジュール１０１４は、信頼性を高めるために、少なくとも１つのＵＥのための制御情報を生成し、第１および第２の制御チャネルで送信しうる。別の設計では、モジュール１０１４は、信頼性を高めるために、少なくとも１つのＵＥのための制御情報を生成し、複数のサブフレームにおいて、制御チャネルで送信しうる。モジュール１０１４は、別の方式でも、制御情報を生成し、少なくとも１つのＵＥへ送信しうる。
【００７３】
送信機１０１６は、シグナリングと制御情報とをＵＥへ送信しうる。コントローラ／プロセッサ１０１８は、装置１０００内のさまざまなモジュールの動作を指示しうる。メモリ１０２０は、装置１０００のためのデータおよびプログラム・コードを格納しうる。
【００７４】
図１１は、制御情報を受信する装置１１００の設計を示す。装置１１００は、（以下に記載されているように）ＵＥ、中継局、またはその他のあるエンティティの一部でありうる。装置１１００内では、モジュール１１１２は、制御情報を受信するようにＵＥを設定するシグナリングを受信（ブロードキャストおよび／またはユニキャスト）しうる。１つの設計では、このシグナリングは、信頼性を高めるために、ＵＥに対して、第１の制御チャネル（例えば、ＰＤＣＣＨ）と第２の制御チャネル（例えば、Ｒ−ＰＤＣＣＨ）との両方で制御情報を受信するように指示しうる。別の設計では、このシグナリングは、信頼性を高めるために、ＵＥに対して、複数のサブフレームにおいて、制御チャネル（例えば、Ｒ−ＰＤＣＣＨ）で制御情報を受信するように指示しうる。このシグナリングはまた、ＵＥに対して、別の方式で制御情報を受信するように指示しうる。
【００７５】
モジュール１１１４は、ＵＥの設定にしたがって制御情報を受信しうる。１つの設計では、モジュール１１１４は、第１の制御チャネルに関して受信された第１のシンボルを取得し、第２の制御チャネルに関して受信された第２のシンボルを取得し、受信された第１および第２のシンボルを復号して、ＵＥへ送信された制御情報を取得する。別の設計では、モジュール１１１４は、複数のサブフレームで、制御チャネルに関して受信されたシンボルを取得し、受信されたシンボルを復号して、ＵＥへ送信された制御情報を取得する。モジュール１０１４はまた、ＵＥのための制御情報を、別の方式でも受信しうる。
【００７６】
受信機１１１６は、ダウンリンク信号を受信および処理し、興味のあるすべての制御チャネルについて受信されたシンボルを提供しうる。コントローラ／プロセッサ１１１８は、装置１１００内のさまざまなモジュールの動作を指示しうる。メモリ１１２０は、装置１１００のためのデータおよびプログラム・コードを格納しうる。
【００７７】
図１０および図１１におけるモジュールは、プロセッサ、電子デバイス、ハードウェア・デバイス、電子部品、論理回路、メモリ、ソフトウェア・コード、ファームウェア・コード等、またはこれらの任意の組み合わせを備えうる。
【００７８】
図１２は、図１におけるｅＮＢのうちの１つ、およびＵＥのうちの１つでありうる、ｅＮＢ／基地局１１０とＵＥ１２０との設計のブロック図を示す。ｅＮＢ１１０は、Ｔ個のアンテナ１２３４ａ乃至１２３４ｔを備え、ＵＥ１２０は、Ｒ個のアンテナ１２５２ａ乃至１２５２ｒを備えうる。ここで、一般に、Ｔ≧１およびＲ≧１である。
【００７９】
ｅＮＢ１１０では、送信プロセッサ１２２０が、１または複数のＵＥのためのデータをデータ・ソース１２１２から受け取り、このＵＥのために選択された１または複数の変調および符号化スキームに基づいて、おのおののＵＥのデータを処理（たとえば、符号化および変調）し、すべてのＵＥのためのデータ・シンボルを提供しうる。送信プロセッサ１２２０はまた、（例えば、ＰＤＣＣＨ、Ｒ−ＰＤＣＣＨ、ＰＨＩＣＨ、Ｒ−ＰＨＩＣＨ、ＰＣＦＩＣＨ、Ｒ−ＰＣＦＩＣＨ、ＰＢＣＨ等の）制御情報を処理し、制御シンボルを提供しうる。送信プロセッサ１２２０はさらに、基準信号のための基準シンボルを生成しうる。送信複数入力複数出力（ＴＸ  ＭＩＭＯ）プロセッサ１２３０は、データ・シンボル、制御シンボル、および／または基準シンボル（適用可能な場合）をプリコードし、Ｔ個の出力シンボル・ストリームをＴ個の変調器（ＭＯＤ）１２３２ａ乃至１２３２ｔに提供しうる。おのおのの変調器１２３２は、（例えば、ＯＦＤＭ等の）出力シンボル・ストリームを処理して、出力サンプル・ストリームを得る。おのおのの変調器１２３２はさらに、出力サンプル・ストリームを調整（例えば、アナログ変換、フィルタ、増幅、およびアップコンバート）し、ダウンリンク信号を生成しうる。変調器１２３２ａ乃至１２３２ｔからのＴ個のダウンリンク信号は、Ｔ個のアンテナ１２３４ａ乃至１２３４ｔによってそれぞれ送信されうる。
【００８０】
ＵＥ１２０では、Ｒ個のアンテナ１２５２ａ乃至１２５２ｒが、ｅＮＢ１１０およびその他のｅＮＢからダウンリンク信号を受信しうる。そして、おのおののアンテナ１２５２は、受信した信号を、関連付けられた復調器（ＤＥＭＯＤ）１２５４へ提供しうる。おのおのの復調器１２５４は、この受信した信号を調整（例えば、フィルタ、増幅、ダウンコンバート、およびデジタル化）してサンプルを取得し、さらに、これら（例えば、ＯＦＤＭ等のため）サンプルを処理して、受信されたシンボルを得る。ＭＩＭＯ検出器１２６０は、（適用可能である場合）これら受信されたシンボルに対してＭＩＭＯ検出を実行し、検出されたシンボルを提供しうる。受信プロセッサ１２７０は、これら検出されたシンボルを処理（例えば、復調および復号）して、復号されたデータおよび制御情報をＵＥ１２０のために取得しうる。プロセッサ１２７０は、復号されたデータをデータ・シンク１２７２に提供し、復号された制御情報をコントローラ／プロセッサ１２９０へ提供しうる。
【００８１】
アップリンクでは、データ・ソース１２７８からのデータと、コントローラ／プロセッサ１２９０からのフィードバック情報とが、送信プロセッサ１２８０によって処理（例えば、符号化および変調）され、（適用可能であれば）ＴＸ  ＭＩＭＯプロセッサ１２８２によって空間処理され、さらに、変調器１２５４ａ乃至１２５４ｒによって処理されて、Ｒ個のアップリンク信号が生成される。これは、アンテナ１２５２ａ乃至１２５２ｒによって送信されうる。ｅＮＢ１１０では、ＵＥ１２０およびその他のＵＥからのアップリンク信号が、アンテナ１２３４ａ乃至１２３４ｔによって受信され、復調器１２３２ａ乃至１２３２ｔによって処理され、（適用可能な場合には）ＭＩＭＯ検出器１２３６によって検出され、さらに、受信プロセッサ１２３８によって処理（例えば、復調および復号）されて、ＵＥ１２０によって送信されたフィードバック情報およびデータが復元される。プロセッサ１２３８は、復元されたデータをデータ・シンク１２３９に提供し、復元されたフィードバック情報をコントローラ／プロセッサ１２４０へ提供しうる。コントローラ／プロセッサ１２４０は、ＵＥ１２０からのチャネル・フィードバック情報に基づいて、ＵＥ１２０へ／からのデータ送信を制御しうる。
【００８２】
コントローラ／プロセッサ１２４０，１２９０は、ｅＮＢ１１０およびＵＥ１２０それぞれにおける動作を指示しうる。ｅＮＢ１１０におけるプロセッサ１２４０および／またはその他のプロセッサおよびモジュールは、図６における処理６００、図８における処理８００、および／または、本明細書に記載された技術のためのその他の処理の実行または指示を行いうる。ＵＥ１２０におけるプロセッサ１５８０および／またはその他のプロセッサおよびモジュールは、図７における処理７００、図９における処理９００、および／または、本明細書に記載された技術のためのその他の処理の実行または指示を行いうる。メモリ１２４２，１２９２は、ｅＮＢ１１０およびＵＥ１２０それぞれのためのデータおよびプログラム・コードを格納しうる。スケジューラ１２４４は、すべてのＵＥから受信したチャネル・フィードバック情報に基づいて、ダウンリンクおよび／またはアップリンクでのデータ送信のために、ＵＥ１２０および／またはその他のＵＥをスケジュールしうる。
【００８３】
図１２のｅＮＢ１１０におけるプロセッサおよびモジュールは、図１０におけるモジュールを実現しうる。例えば、図１２におけるプロセッサ１２４０は、図１０におけるモジュール１０１２およびプロセッサ１０１８を実現しうる。また、プロセッサ１２２０は、モジュール１０１４を実現しうる。図１２におけるＵＥ１２０のプロセッサおよびモジュールは、図１１におけるモジュールを実現しうる。例えば、図１２におけるプロセッサ１２９０は、図１１におけるモジュール１１１２およびプロセッサ１１１８を実現しうる。また、プロセッサ１２７０は、モジュール１１１４を実現しうる。
【００８４】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００８５】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００８６】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００８７】
本明細書の開示に関連して説明された方法またはアルゴリズムのステップは、ハードウェアで直接に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００８８】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００８９】
本開示の上記記載は、当業者をして、本開示の製造または利用を可能とするように提供される。この開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【図１】
2014123968.tif 000003
【図２】
2014123968.tif 000004
【図３Ａ】
2014123968.tif 000005
【図３Ｂ】
2014123968.tif 000006
【図４】
2014123968.tif 000007
【図５】
2014123968.tif 000008
【図６】
2014123968.tif 000009
【図７】
2014123968.tif 000010
【図８】
2014123968.tif 000011
【図９】
2014123968.tif 000012
【図１０】
2014123968.tif 000013
【図１１】
2014123968.tif 000014
【図１２】
2014123968.tif 000015
【手続補正書】
【提出日】平成26年2月27日(2014.2.27)
【手続補正１】
【補正対象書類名】特許請求の範囲
【補正対象項目名】全文
【補正方法】変更
【補正の内容】
【特許請求の範囲】
【請求項１】
無線通信のための方法であって、
第１のサブフレームにおいて、第１の制御チャネルで、少なくとも１つのユーザ機器（ＵＥ）のための制御情報を送信することと、
前記制御情報の信頼性を高めるために、少なくとも１つのさらなるサブフレームにおける制御チャネルで、前記少なくとも１つのＵＥのための制御情報を送信することと、
を備える方法。
【請求項２】
前記制御情報を処理して、符号化されたデータを取得することと、
前記符号化されたデータを、前記第１のサブフレームにおける制御チャネル、および、前記少なくとも１つのさらなるサブフレームにおける制御チャネルで送信することと、
をさらに備える請求項１に記載の方法。
【請求項３】
前記制御情報を処理して、符号化されたデータを取得することと、
前記符号化されたデータを、複数の部分へ分割することと、
前記符号化されたデータの異なる部分を、おのおののサブフレームにおける制御チャネルで送信することと、
をさらに備える請求項１に記載の方法。
【請求項４】
前記少なくとも１つのＵＥに対して、複数のサブフレームにおける制御チャネルで制御情報を受信するように指示するシグナリングを送信すること、をさらに備える請求項１に記載の方法。
【請求項５】
前記少なくとも１つのＵＥのための、少なくとも１つのダウンリンク許可、または少なくとも１つのアップリンク許可、またはダウンリンク許可とアップリンク許可との両方、を備える制御情報を生成すること、をさらに備える請求項１に記載の方法。
【請求項６】
前記制御チャネルは、中継物理ダウンリンク制御チャネル（Ｒ−ＰＤＣＣＨ）を備える、請求項１に記載の方法。
【請求項７】
無線通信のための装置であって、
第１のサブフレームにおける制御チャネルで、少なくとも１つのユーザ機器（ＵＥ）のための制御情報を送信する手段と、
前記制御情報の信頼性を高めるために、少なくとも１つのさらなるサブフレームにおける制御チャネルで、前記少なくとも１つのＵＥのための制御情報を送信する手段と、
を備える装置。
【請求項８】
無線通信のための装置であって、
第１のサブフレームにおける制御チャネルで、少なくとも１つのユーザ機器（ＵＥ）のための制御情報を送信し、
前記制御情報の信頼性を高めるために、少なくとも１つのさらなるサブフレームにおける制御チャネルで、前記少なくとも１つのＵＥのための制御情報を送信する、
ように構成された少なくとも１つのプロセッサ、
を備える装置。
【請求項９】
コンピュータ・プログラム製品であって、
少なくとも１つのコンピュータに対して、第１のサブフレームにおける制御チャネルで、少なくとも１つのユーザ機器（ＵＥ）のための制御情報を送信させるためのコードと、
前記制御情報の信頼性を高めるために、前記少なくとも１つのコンピュータに対して、少なくとも１つのさらなるサブフレームにおける制御チャネルで、前記少なくとも１つのＵＥのための制御情報を送信させるためのコードと、
を備えるコンピュータ読取可能な媒体、
を備えるコンピュータ・プログラム製品。
【請求項１０】
無線通信のための方法であって、
ユーザ機器（ＵＥ）において、第１のサブフレームにおける制御チャネルに関して受信された第１のシンボルを取得することと、
前記ＵＥにおいて、少なくとも１つのさらなるサブフレームにおける制御チャネルに関して受信された第２のシンボルを取得することと、
受信された前記第１のシンボルと前記第２のシンボルとを復号して、前記ＵＥへ送信された制御情報を復号することと、
を備え、
前記制御情報の信頼性を高めるために、前記制御情報は、前記第１のサブフレームおよび前記少なくとも１つのさらなるサブフレームにおける制御チャネルで送信される、方法。
【請求項１１】
前記ＵＥに対して、複数のサブフレームにおける制御チャネルで制御情報を受信するように指示するシグナリングを受信することをさらに備え、
受信された前記第１のシンボルおよび前記第２のシンボルは、前記シグナリングに応じて、前記第１のサブフレームおよび前記少なくとも１つのさらなるサブフレームにおいて取得され、復号される、請求項１０に記載の方法。
【請求項１２】
前記制御情報から前記ＵＥのための許可を取得することと、
前記許可に基づいて、データ伝送を送信または受信することと、
をさらに備える請求項１０に記載の方法。
【請求項１３】
無線通信のための装置であって、
ユーザ機器（ＵＥ）において、第１のサブフレームにおける制御チャネルに関して受信された第１のシンボルを取得する手段と、
前記ＵＥにおいて、少なくとも１つのさらなるサブフレームにおける制御チャネルに関して受信された第２のシンボルを取得する手段と、
受信された前記第１のシンボルおよび前記第２のシンボルを復号して、前記ＵＥへ送信された制御情報を取得する手段と、
を備え、
前記制御情報の信頼性を高めるために、前記制御情報は、前記第１のサブフレームおよび前記少なくとも１つのさらなるサブフレームにおける制御チャネルで送信される、装置。
【請求項１４】
無線通信のための装置であって、
ユーザ機器（ＵＥ）において、第１のサブフレームにおける制御チャネルに関して受信された第１のシンボルを取得し、
前記ＵＥにおいて、少なくとも１つのさらなるサブフレームにおける制御チャネルに関して受信された第２のシンボルを取得し、
受信された前記第１のシンボルと前記第２のシンボルとを復号して、前記ＵＥへ送信された制御情報を取得する、
ように構成された少なくとも１つのプロセッサを備え、
前記制御情報の信頼性を高めるために、前記制御情報は、前記第１のサブフレームおよび前記少なくとも１つのさらなるサブフレームにおける制御チャネルで送信される、装置。
【請求項１５】
コンピュータ・プログラム製品であって、
少なくとも１つのコンピュータに対して、ユーザ機器（ＵＥ）において、第１のサブフレームにおける制御チャネルに関して受信された第１のシンボルを取得させるためのコードと、
前記少なくとも１つのコンピュータに対して、前記ＵＥにおいて、少なくとも１つのさらなるサブフレームにおける制御チャネルに関して受信された第２のシンボルを取得させるためのコードと、
前記少なくとも１つのコンピュータに対して、受信された前記第１のシンボルおよび前記第２のシンボルを復号して、前記ＵＥへ送信された制御情報を取得させるためのコードと、
を備えるコンピュータ読取可能な媒体を備え、
前記制御情報の信頼性を高めるために、前記制御情報は、前記第１のサブフレームおよび前記少なくとも１つのさらなるサブフレームにおける制御チャネルで送信される、
コンピュータ・プログラム製品。
【手続補正２】
【補正対象書類名】明細書
【補正対象項目名】００８９
【補正方法】変更
【補正の内容】
【００８９】
本開示の上記記載は、当業者をして、本開示の製造または利用を可能とするように提供される。この開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に、本願出願の当初の特許請求の範囲に記載された発明を付記する。
［発明１］
無線通信のための方法であって、
第１の制御チャネルで、少なくとも１つのユーザ機器（ＵＥ）のための制御情報を送信することと、
前記制御情報の信頼性を高めるために、第２の制御チャネルで、前記少なくとも１つのＵＥのための制御情報を送信することと、
を備える方法。
［発明２］
サブフレームの第１の領域で、前記第１の制御チャネルを送信することと、
前記第１の領域とは異なる、前記サブフレームの第２の領域で、前記第２の制御チャネルを送信することと、
をさらに備える発明１に記載の方法。
［発明３］
前記制御情報を処理して、符号化されたデータを取得することをさらに備え、
前記符号化されたデータは、前記第１の制御チャネルで送信され、前記第２の制御チャネルでも送信される、発明１に記載の方法。
［発明４］
前記制御情報を処理して、符号化されたデータを取得することと、
前記符号化されたデータを、第１の部分および第２の部分へ分割することと、
をさらに備え、
前記第１の部分は、前記第１の制御チャネルで送信され、前記第２の部分は、前記第２の制御チャネルで送信される、発明１に記載の方法。
［発明５］
前記少なくとも１つのＵＥに対して、前記第１の制御チャネルと前記第２の制御チャネルとの両方で制御情報を受信するように指示するシグナリングを送信すること、をさらに備える発明１に記載の方法。
［発明６］
前記制御情報を、前記第１の制御チャネルのみで送信するか、前記第２の制御チャネルのみで送信するか、前記第１の制御チャネルと前記第２の制御チャネルとの両方で送信するかを、前記少なくとも１つのＵＥの設定に基づいて判定すること、をさらに備える発明１に記載の方法。
［発明７］
少なくとも１つの他のＵＥのための第２の制御情報を、前記第１の制御チャネルのみで送信するか、または、前記第２の制御チャネルのみで送信すること、をさらに備える発明１に記載の方法。
［発明８］
前記第１の制御チャネルは、物理ダウンリンク制御チャネル（ＰＤＣＣＨ）を備え、
前記第２の制御チャネルは、中継ＰＤＣＣＨ（Ｒ−ＰＤＣＣＨ）を備える、発明１に記載の方法。
［発明９］
前記第１の制御チャネルと前記第２の制御チャネルとは、独立して構成および操作される、発明１に記載の方法。
［発明１０］
前記第１の制御チャネルと前記第２の制御チャネルとは、異なるサイズを有する、発明１に記載の方法。
［発明１１］
少なくとも１つのダウンリンク許可、または少なくとも１つのアップリンク許可、またはダウンリンク許可とアップリンク許可との両方を備える、前記少なくとも１つのＵＥのための制御情報を生成すること、をさらに備える発明１に記載の方法。
［発明１２］
無線通信のための装置であって、
第１の制御チャネルで、少なくとも１つのユーザ機器（ＵＥ）のための制御情報を送信する手段と、
前記制御情報の信頼性を高めるために、第２の制御チャネルで、前記少なくとも１つのＵＥのための制御情報を送信する手段と、
を備える装置。
［発明１３］
サブフレームの第１の領域で、前記第１の制御チャネルを送信する手段と、
前記第１の領域とは異なる、前記サブフレームの第２の領域で、前記第２の制御チャネルを送信する手段と、
をさらに備える発明１２に記載の装置。
［発明１４］
前記少なくとも１つのＵＥに対して、前記第１の制御チャネルと前記第２の制御チャネルとの両方で制御情報を受信するように指示するシグナリングを送信する手段、をさらに備える発明１２に記載の装置。
［発明１５］
前記制御情報を、前記第１の制御チャネルのみで送信するか、前記第２の制御チャネルのみで送信するか、前記第１の制御チャネルと前記第２の制御チャネルとの両方で送信するかを、前記少なくとも１つのＵＥの設定に基づいて判定する手段、をさらに備える発明１２に記載の装置。
［発明１６］
無線通信のための装置であって、
第１の制御チャネルで、少なくとも１つのユーザ機器（ＵＥ）のための制御情報を送信し、
前記制御情報の信頼性を高めるために、第２の制御チャネルで、前記少なくとも１つのＵＥのための制御情報を送信する、
ように構成された少なくとも１つのプロセッサ、
を備える装置。
［発明１７］
前記少なくとも１つのプロセッサは、
サブフレームの第１の領域で、前記第１の制御チャネルを送信し、
前記第１の領域とは異なる、前記サブフレームの第２の領域で、前記第２の制御チャネルを送信するように構成された、
発明１６に記載の装置。
［発明１８］
前記少なくとも１つのプロセッサは、
前記少なくとも１つのＵＥに対して、前記第１の制御チャネルと前記第２の制御チャネルとの両方で制御情報を受信するように指示するシグナリングを送信するように構成された、
発明１６に記載の装置。
［発明１９］
前記少なくとも１つのプロセッサは、
前記制御情報を、前記第１の制御チャネルのみで送信するか、前記第２の制御チャネルのみで送信するか、前記第１の制御チャネルと前記第２の制御チャネルとの両方で送信するかを、前記少なくとも１つのＵＥの設定に基づいて判定するように構成された、
発明１６に記載の装置。
［発明２０］
コンピュータ・プログラム製品であって、
少なくとも１つのコンピュータに対して、第１の制御チャネルで、少なくとも１つのユーザ機器（ＵＥ）のための制御情報を送信させるためのコードと、
前記制御情報の信頼性を高めるために、前記少なくとも１つのコンピュータに対して、第２の制御チャネルで、前記少なくとも１つのＵＥのための制御情報を送信させるためのコードと、
を備えるコンピュータ読取可能な媒体、
を備えるコンピュータ・プログラム製品。
［発明２１］
無線通信のための方法であって、
ユーザ機器（ＵＥ）において第１の制御チャネルに関して受信された第１のシンボルを取得することと、
前記ＵＥにおいて第２の制御チャネルに関して受信された第２のシンボルを取得することと、
前記制御情報の信頼性を高めるために、受信された前記第１のシンボルおよび前記第２のシンボルを復号して、前記第１の制御チャネルおよび前記第２の制御チャネルで送信された制御情報を取得することと、
を備える方法。
［発明２２］
サブフレームの第１の領域で、前記第１の制御チャネルを受信することと、
前記第１の領域とは異なる、前記サブフレームの第２の領域で、前記第２の制御チャネルを受信することと、
をさらに備える発明２１に記載の方法。
［発明２３］
受信された前記第１のシンボルおよび前記第２のシンボルを復号することは、
受信された前記第１のシンボルと前記第２のシンボルとを結合して、結合シンボルを取得することと、
前記結合シンボルに基づいて、復号メトリックを計算することと、
前記復号メトリックを復号して、前記制御情報を復元することと、
を備える、発明２１に記載の方法。
［発明２４］
受信された前記第１のシンボルおよび前記第２のシンボルを復号することは、
受信された前記第１のシンボルに基づいて、第１の復号メトリックを計算することと、
受信された前記第２のシンボルに基づいて、第２の復号メトリックを計算することと、
前記第１の復号メトリックおよび前記第２の復号メトリックを復号して、前記制御情報を復元することと、
を備える、発明２１に記載の方法。
［発明２５］
前記第１の制御チャネルと前記第２の制御チャネルとの複数の可能な組み合わせに対してブラインド復号を実行することをさらに備え、
おのおのの可能な組み合わせは、前記第１の制御チャネルの特定の位置と、前記第２の制御チャネルの特定の位置とに対応する、発明２１に記載の方法。
［発明２６］
前記複数の可能な組み合わせは、前記第１の制御チャネルと前記第２の制御チャネルとの（Ｋ×Ｍ）個のすべての可能な組み合わせを含み、ここで、Ｋは、前記第１の制御チャネルの可能な位置の数であり、Ｍは、前記第２の制御チャネルの可能な位置の数である、発明２５に記載の方法。
［発明２７］
前記複数の可能な組み合わせは、前記第１の制御チャネルと前記第２の制御チャネルとのすべての可能な組み合わせのサブセットを含み、
前記サブセットは、前記第１の制御チャネルと前記第２の制御チャネルとの間の予め定められたマッピングに基づいて決定される、発明２５に記載の方法。
［発明２８］
前記ＵＥに対して前記第１の制御チャネルと前記第２の制御チャネルとの両方で制御情報を受信するように指示するシグナリングを受信することをさらに備え、
前記第１の制御チャネルに関して受信された第１のシンボルと、前記第２の制御チャネルに関して受信された第２のシンボルとが、前記シグナリングに応じて取得され復号される、発明２１に記載の方法。
［発明２９］
前記ＵＥに対して、前記第１の制御チャネルのみで、または、前記第２の制御チャネルのみで、制御情報を受信するように指示するシグナリングを受信することと、
前記シグナリングに応じて、前記第１の制御チャネルのみに関して、または、前記第２の制御チャネルのみに関して、受信されたシンボルを取得および復号することと、
をさらに備える発明２１に記載の方法。
［発明３０］
前記制御情報から前記ＵＥのための許可を取得することと、
前記許可に基づいて、データ伝送を送信または受信することと、
をさらに備える発明２１に記載の方法。
［発明３１］
無線通信のための装置であって、
ユーザ機器（ＵＥ）において第１の制御チャネルに関して受信された第１のシンボルを取得する手段と、
前記ＵＥにおいて第２の制御チャネルに関して受信された第２のシンボルを取得する手段と、
制御情報の信頼性を高めるために、受信された前記第１のシンボルおよび前記第２のシンボルを復号して、前記第１の制御チャネルおよび前記第２の制御チャネルで送信された制御情報を取得する手段と、
を備える装置。
［発明３２］
サブフレームの第１の領域で、前記第１の制御チャネルを受信する手段と、
前記第１の領域とは異なる、前記サブフレームの第２の領域で、前記第２の制御チャネルを受信する手段と、
をさらに備える発明３１に記載の装置。
［発明３３］
前記第１の制御チャネルと前記第２の制御チャネルとの複数の可能な組み合わせに対してブラインド復号を実行する手段をさらに備え、
おのおのの可能な組み合わせは、前記第１の制御チャネルの特定の位置と、前記第２の制御チャネルの特定の位置とに対応する、発明３１に記載の装置。
［発明３４］
前記ＵＥに対して前記第１の制御チャネルと前記第２の制御チャネルとの両方で制御情報を受信するように指示するシグナリングを受信する手段をさらに備え、
前記第１の制御チャネルに関して受信された第１のシンボルと、前記第２の制御チャネルに関して受信された第２のシンボルとが、前記シグナリングに応じて取得され復号される、発明３１に記載の装置。
［発明３５］
無線通信のための装置であって、
ユーザ機器（ＵＥ）において第１の制御チャネルに関して受信された第１のシンボルを取得し、
前記ＵＥにおいて第２の制御チャネルに関して受信された第２のシンボルを取得し、
制御情報の信頼性を高めるために、受信された前記第１のシンボルおよび前記第２のシンボルを復号して、前記第１の制御チャネルおよび前記第２の制御チャネルで送信された制御情報を取得する、
ように構成された少なくとも１つのプロセッサ、
を備える装置。
［発明３６］
前記少なくとも１つのプロセッサは、
サブフレームの第１の領域で、前記第１の制御チャネルを受信し、
前記第１の領域とは異なる、前記サブフレームの第２の領域で、前記第２の制御チャネルを受信するように構成された、
発明３５に記載の装置。
［発明３７］
前記少なくとも１つのプロセッサは、
前記第１の制御チャネルと前記第２の制御チャネルとの複数の可能な組み合わせに対してブラインド復号を実行するように構成され、
おのおのの可能な組み合わせは、前記第１の制御チャネルの特定の位置と、前記第２の制御チャネルの特定の位置とに対応する、発明３５に記載の装置。
［発明３８］
前記少なくとも１つのプロセッサは、前記ＵＥに対して前記第１の制御チャネルと前記第２の制御チャネルとの両方で制御情報を受信するように指示するシグナリングを受信するように構成され、
前記第１の制御チャネルに関して受信された第１のシンボルと、前記第２の制御チャネルに関して受信された第２のシンボルとが、前記シグナリングに応じて取得され復号される、発明３５に記載の装置。
［発明３９］
コンピュータ・プログラム製品であって、
少なくとも１つのコンピュータに対して、ユーザ機器（ＵＥ）において第１の制御チャネルに関して受信された第１のシンボルを取得させるためのコードと、
前記少なくとも１つのコンピュータに対して、前記ＵＥにおいて第２の制御チャネルに関して受信された第２のシンボルを取得させるためのコードと、
制御情報の信頼性を高めるために、前記少なくとも１つのコンピュータに対して、受信された前記第１のシンボルおよび前記第２のシンボルを復号して、前記第１の制御チャネルおよび前記第２の制御チャネルで送信された制御情報を取得させるためのコードと、
を備えるコンピュータ読取可能な媒体、
を備えるコンピュータ・プログラム製品。
［発明４０］
無線通信のための方法であって、
第１のサブフレームにおいて、第１の制御チャネルで、少なくとも１つのユーザ機器（ＵＥ）のための制御情報を送信することと、
前記制御情報の信頼性を高めるために、少なくとも１つのさらなるサブフレームにおける制御チャネルで、前記少なくとも１つのＵＥのための制御情報を送信することと、
を備える方法。
［発明４１］
前記制御情報を処理して、符号化されたデータを取得することと、
前記符号化されたデータを、前記第１のサブフレームにおける制御チャネル、および、前記少なくとも１つのさらなるサブフレームにおける制御チャネルで送信することと、
をさらに備える発明４０に記載の方法。
［発明４２］
前記制御情報を処理して、符号化されたデータを取得することと、
前記符号化されたデータを、複数の部分へ分割することと、
前記符号化されたデータの異なる部分を、おのおののサブフレームにおける制御チャネルで送信することと、
をさらに備える発明４０に記載の方法。
［発明４３］
前記少なくとも１つのＵＥに対して、複数のサブフレームにおける制御チャネルで制御情報を受信するように指示するシグナリングを送信すること、をさらに備える発明４０に記載の方法。
［発明４４］
前記少なくとも１つのＵＥのための、少なくとも１つのダウンリンク許可、または少なくとも１つのアップリンク許可、またはダウンリンク許可とアップリンク許可との両方、を備える制御情報を生成すること、をさらに備える発明４０に記載の方法。
［発明４５］
前記制御チャネルは、中継物理ダウンリンク制御チャネル（Ｒ−ＰＤＣＣＨ）を備える、発明４０に記載の方法。
［発明４６］
無線通信のための装置であって、
第１のサブフレームにおける制御チャネルで、少なくとも１つのユーザ機器（ＵＥ）のための制御情報を送信する手段と、
前記制御情報の信頼性を高めるために、少なくとも１つのさらなるサブフレームにおける制御チャネルで、前記少なくとも１つのＵＥのための制御情報を送信する手段と、
を備える装置。
［発明４７］
無線通信のための装置であって、
第１のサブフレームにおける制御チャネルで、少なくとも１つのユーザ機器（ＵＥ）のための制御情報を送信し、
前記制御情報の信頼性を高めるために、少なくとも１つのさらなるサブフレームにおける制御チャネルで、前記少なくとも１つのＵＥのための制御情報を送信する、
ように構成された少なくとも１つのプロセッサ、
を備える装置。
［発明４８］
コンピュータ・プログラム製品であって、
少なくとも１つのコンピュータに対して、第１のサブフレームにおける制御チャネルで、少なくとも１つのユーザ機器（ＵＥ）のための制御情報を送信させるためのコードと、
前記制御情報の信頼性を高めるために、前記少なくとも１つのコンピュータに対して、少なくとも１つのさらなるサブフレームにおける制御チャネルで、前記少なくとも１つのＵＥのための制御情報を送信させるためのコードと、
を備えるコンピュータ読取可能な媒体、
を備えるコンピュータ・プログラム製品。
［発明４９］
無線通信のための方法であって、
ユーザ機器（ＵＥ）において、第１のサブフレームにおける制御チャネルに関して受信された第１のシンボルを取得することと、
前記ＵＥにおいて、少なくとも１つのさらなるサブフレームにおける制御チャネルに関して受信された第２のシンボルを取得することと、
受信された前記第１のシンボルと前記第２のシンボルとを復号して、前記ＵＥへ送信された制御情報を復号することと、
を備え、
前記制御情報の信頼性を高めるために、前記制御情報は、前記第１のサブフレームおよび前記少なくとも１つのさらなるサブフレームにおける制御チャネルで送信される、方法。
［発明５０］
前記ＵＥに対して、複数のサブフレームにおける制御チャネルで制御情報を受信するように指示するシグナリングを受信することをさらに備え、
受信された前記第１のシンボルおよび前記第２のシンボルは、前記シグナリングに応じて、前記第１のサブフレームおよび前記少なくとも１つのさらなるサブフレームにおいて取得され、復号される、発明４９に記載の方法。
［発明５１］
前記制御情報から前記ＵＥのための許可を取得することと、
前記許可に基づいて、データ伝送を送信または受信することと、
をさらに備える発明４９に記載の方法。
［発明５２］
無線通信のための装置であって、
ユーザ機器（ＵＥ）において、第１のサブフレームにおける制御チャネルに関して受信された第１のシンボルを取得する手段と、
前記ＵＥにおいて、少なくとも１つのさらなるサブフレームにおける制御チャネルに関して受信された第２のシンボルを取得する手段と、
受信された前記第１のシンボルおよび前記第２のシンボルを復号して、前記ＵＥへ送信された制御情報を取得する手段と、
を備え、
前記制御情報の信頼性を高めるために、前記制御情報は、前記第１のサブフレームおよび前記少なくとも１つのさらなるサブフレームにおける制御チャネルで送信される、装置。
［発明５３］
無線通信のための装置であって、
ユーザ機器（ＵＥ）において、第１のサブフレームにおける制御チャネルに関して受信された第１のシンボルを取得し、
前記ＵＥにおいて、少なくとも１つのさらなるサブフレームにおける制御チャネルに関して受信された第２のシンボルを取得し、
受信された前記第１のシンボルおよび前記第２のシンボルを復号して、前記ＵＥへ送信された制御情報を取得する、
ように構成された少なくとも１つのプロセッサを備え、
制御情報の信頼性を高めるために、前記制御情報は、前記第１のサブフレームおよび前記少なくとも１つのさらなるサブフレームにおける制御チャネルで送信される、装置。
［発明５４］
コンピュータ・プログラム製品であって、
少なくとも１つのコンピュータに対して、ユーザ機器（ＵＥ）において、第１のサブフレームにおける制御チャネルに関して受信された第１のシンボルを取得させるためのコードと、
前記少なくとも１つのコンピュータに対して、前記ＵＥにおいて、少なくとも１つのさらなるサブフレームにおける制御チャネルに関して受信された第２のシンボルを取得させるためのコードと、
前記少なくとも１つのコンピュータに対して、受信された前記第１のシンボルおよび前記第２のシンボルを復号して、前記ＵＥへ送信された制御情報を取得させるためのコードと、
を備えるコンピュータ読取可能な媒体を備え、
前記制御情報の信頼性を高めるために、前記制御情報は、前記第１のサブフレームおよび前記少なくとも１つのさらなるサブフレームにおける制御チャネルで送信される、
コンピュータ・プログラム製品。
【外国語明細書】
2014123968000001.pdf